(57)【要約】  ワイヤレスメッセージの交換に少なくとも部分的に基づいて、デバイス間のレンジを取得するための方法、システム、およびデバイスが開示される。例えば、ワイヤレスデバイスは、ファインタイミング測定（ＦＴＭ）メッセージの交換に少なくとも部分的に基づいて、レンジの測定値を取得し得る。１つのインプリメンテーションにおいて、第１のワイヤレストランシーバデバイスから第２のワイヤレストランシーバデバイスに送信されるメッセージは、第１のワイヤレストランシーバデバイスと第２のワイヤレストランシーバデバイスとの間のレンジ、または第１のワイヤレストランシーバデバイスと第２のワイヤレストランシーバデバイス以外の第３のワイヤレストランシーバデバイスとの間のレンジを示す１つまたは複数のパラメータを備え得る。
2019506081.tif 000002
【特許請求の範囲】
【請求項１】
第１のワイヤレストランシーバデバイスにおける方法であって、
前記第１のワイヤレストランシーバデバイスにおいて受信された１つまたは複数のファインタイミング測定（ＦＴＭ）メッセージの受信に少なくとも部分的に基づいて、前記第１のワイヤレストランシーバデバイスと前記第２のワイヤレストランシーバデバイスとの間のレンジを示す１つまたは複数のパラメータを決定することと、
前記１つまたは複数のパラメータを備える１つまたは複数のメッセージを、前記第１のワイヤレストランシーバデバイスから前記第２のワイヤレストランシーバデバイスに送信すること、ここにおいて、前記第１および第２のワイヤレストランシーバデバイスは、関連付けられていない、と
を備える、方法。
【請求項２】
前記１つまたは複数のメッセージのうちの少なくとも１つは、情報要素の送信をサポートするフォーマットにおいて送信される、請求項１に記載の方法。
【請求項３】
前記１つまたは複数のメッセージは、ビーコンメッセージ、プローブ要求メッセージ、プローブ応答メッセージ、アソシエーション要求メッセージ、またはアソシエーション応答メッセージを備える、請求項１に記載の方法。
【請求項４】
前記１つまたは複数のメッセージは、ワイヤレスローカルエリアネットワーク（ＷＬＡＮ）管理フレームを備える、請求項１に記載の方法。
【請求項５】
前記１つまたは複数のメッセージは、前記第２のワイヤレストランシーバデバイスのＴＳＦに対するレンジ測定値が取得された時間のインジケーションをさらに備える、請求項１に記載の方法。
【請求項６】
前記１つまたは複数のメッセージは、取得されたレンジ測定値のエイジのインジケーションをさらに備える、請求項１に記載の方法。
【請求項７】
第１のワイヤレス局（ＳＴＡ）であって、
ワイヤレストランシーバと、
前記第１のワイヤレストランシーバデバイスにおいて受信された１つまたは複数のファインタイミング測定（ＦＴＭ）メッセージの受信に少なくとも部分的に基づいて、前記第１のＳＴＡと第２のＳＴＡとの間のレンジを示す１つまたは複数のパラメータを決定することと、
前記１つまたは複数のパラメータを備える１つまたは複数のメッセージの、前記ワイヤレストランシーバを通じた前記第２のＳＴＡへの送信を開始すること、ここにおいて、前記第１および第２のＳＴＡは、関連付けられていない、と
を行うために前記ワイヤレストランシーバに結合されたプロセッサと
を備える、第１のＳＴＡ。
【請求項８】
前記１つまたは複数のメッセージは、ビーコンメッセージ、プローブ要求メッセージ、プローブ応答メッセージ、アソシエーション要求メッセージ、またはアソシエーション応答メッセージを備える、請求項７に記載の第１のＳＴＡ。
【請求項９】
前記１つまたは複数のメッセージは、ワイヤレスローカルエリアネットワーク（ＷＬＡＮ）管理フレームを備える、請求項７に記載の第１のＳＴＡ。
【請求項１０】
前記１つまたは複数のメッセージは、前記第２のワイヤレストランシーバデバイスのＴＳＦに対するレンジ測定値が取得された時間のインジケーションをさらに備える、請求項７に記載の第１のＳＴＡ。
【請求項１１】
前記１つまたは複数のメッセージは、取得されたレンジ測定値のエイジのインジケーションをさらに備える、請求項７に記載のＳＴＡ。
【請求項１２】
第１のワイヤレストランシーバデバイスであって、
前記第１のワイヤレストランシーバデバイスにおいて受信された１つまたは複数のファインタイミング測定（ＦＴＭ）メッセージの受信に少なくとも部分的に基づいて、前記第１のワイヤレストランシーバデバイスと第２のワイヤレストランシーバデバイスとの間のレンジを示す１つまたは複数のパラメータを決定するための手段と、
前記１つまたは複数のパラメータを備える１つまたは複数のメッセージを、前記第１のワイヤレストランシーバデバイスから前記第２のワイヤレストランシーバデバイスに送信するための手段、ここにおいて、前記第１および第２のワイヤレストランシーバデバイスは、関連付けられていない、と
を備える、第１のワイヤレストランシーバデバイス。
【請求項１３】
前記１つまたは複数のメッセージは、ビーコンメッセージ、プローブ要求メッセージ、プローブ応答メッセージ、アソシエーション要求メッセージ、またはアソシエーション応答メッセージを備える、請求項１２に記載の第１のワイヤレストランシーバデバイス。
【請求項１４】
前記１つまたは複数のメッセージは、ワイヤレスローカルエリアネットワーク（ＷＬＡＮ）管理フレームを備える、請求項１２に記載の第１のワイヤレストランシーバデバイス。
【請求項１５】
前記１つまたは複数のメッセージは、前記第２のワイヤレストランシーバデバイスのＴＳＦに対するレンジ測定値が取得された時間のインジケーションをさらに備える、請求項１２に記載の第１のワイヤレストランシーバデバイス。
【請求項１６】
前記１つまたは複数のメッセージは、取得されたレンジ測定値のエイジのインジケーションをさらに備える、請求項１２に記載の第１のワイヤレストランシーバデバイス。
【請求項１７】
記憶されたコンピュータ読取り可能命令を備える非一時的記憶媒体であって、
前記命令は、
第１のワイヤレストランシーバデバイスにおいて受信された１つまたは複数のファインタイミング測定（ＦＴＭ）メッセージの受信に少なくとも部分的に基づいて、前記第１のワイヤレストランシーバデバイスと第２のワイヤレストランシーバデバイスとの間のレンジを示す１つまたは複数のパラメータを決定することと、
前記１つまたは複数のパラメータを備える１つまたは複数のメッセージの、前記第１のワイヤレストランシーバデバイスを通じた送信を開始すること、ここにおいて、前記第１および第２のワイヤレストランシーバデバイスは、関連付けられていない、と
を行うために、前記第１のワイヤレストランシーバデバイスのプロセッサによって実行可能である、非一時的記憶媒体。
【請求項１８】
前記１つまたは複数のメッセージは、ビーコンメッセージ、プローブ要求メッセージ、プローブ応答メッセージ、アソシエーション要求メッセージ、またはアソシエーション応答メッセージを備える、請求項１７に記載の記憶媒体。
【請求項１９】
前記１つまたは複数のメッセージは、ワイヤレスローカルエリアネットワーク（ＷＬＡＮ）管理フレームを備える、請求項１７に記載の記憶媒体。
【請求項２０】
前記１つまたは複数のメッセージは、前記第２のワイヤレストランシーバデバイスのＴＳＦに対するレンジ測定値が取得された時間のインジケーションをさらに備える、請求項１７に記載の記憶媒体。
【請求項２１】
前記１つまたは複数のメッセージは、取得されたレンジ測定値のエイジのインジケーションをさらに備える、請求項１７に記載の記憶媒体。
【発明の詳細な説明】
【関連出願】
【０００１】
このＰＣＴ出願は、「Methods and Systems for a Ranging Protocol」と題され、２０１６年２月４日に出願された、米国仮特許出願第６２／２９１，３９３号、および「Methods and Systems for a Ranging Protocol」と題され、２０１６年１２月６日に出願された、米国非仮特許出願第１５／３７０，５９９号の利益およびそれらに対する優先権を主張し、それらは、それら全体が、参照によってここに組み込まれる。
【技術分野】
【０００２】
[0001]ここに説明される実施形態は、モバイル送信機から捕捉された信号の測定値を取得することを対象とする。
【背景技術】
【０００３】
[0002]全地球測位システム（ＧＰＳ）のような、衛星測位システム（ＳＰＳ）は、屋外環境におけるモバイルハンドセット（mobile handsets）のためのナビゲーションサービスを可能にした。同様に、屋内環境におけるモバイルデバイスの位置（positions）の推定値を取得するための特定の技法は、居住の場（venues）、政府の場、または商業の場などの、特定の屋内の場における拡張ロケーションベースサービス（enhanced location based services）を可能にし得る。例えば、モバイルデバイスと固定ロケーションに配置された（positioned）トランシーバとの間のレンジ（range）は、第１のデバイスから第２のデバイスへの第１のメッセージの送信と第１のメッセージに応答して送信された第１のデバイスにおける第２のメッセージの受信との間で測定された往復時間（ＲＴＴ：round trip time）の測定値に少なくとも部分的に基づいて測定され得る。
【発明の概要】
【０００４】
[0003]手短に言えば、１つの特定のインプリメンテーションは、第１のワイヤレストランシーバデバイスにおいて受信された１つまたは複数のファインタイミング測定（ＦＴＭ）メッセージの受信に少なくとも部分的に基づいて、第１のワイヤレストランシーバデバイスと第２のワイヤレストランシーバデバイスとの間のレンジを示す１つまたは複数のパラメータを決定することと、１つまたは複数のパラメータを備える１つまたは複数のメッセージを、第１のワイヤレストランシーバデバイスから第２のワイヤレストランシーバデバイスに送信すること、ここにおいて、第１および第２のワイヤレストランシーバデバイスは、関連付けられていない、とを備える、第１のワイヤレストランシーバデバイスにおける方法を対象とする。
【０００５】
[0004]別の特定のインプリメンテーションは、ワイヤレストランシーバと、第１のワイヤレストランシーバデバイスにおいて受信された１つまたは複数のファインタイミング測定（ＦＴＭ）メッセージの受信に少なくとも部分的に基づいて、第１のワイヤレス局（ＳＴＡ）と第２のＳＴＡとの間のレンジを示す１つまたは複数のパラメータを決定することと、１つまたは複数のパラメータを備える１つまたは複数のメッセージの、ワイヤレストランシーバを通じた第２のＳＴＡへの送信を開始すること、ここにおいて、第１および第２のＳＴＡは、関連付けられていない、とを行うためにワイヤレストランシーバに結合されたプロセッサとを備える、第１のＳＴＡを対象とする。
【０００６】
[0005]別の特定のインプリメンテーションは、第１のワイヤレストランシーバデバイスにおいて受信された１つまたは複数のファインタイミング測定（ＦＴＭ）メッセージの受信に少なくとも部分的に基づいて、第１のワイヤレストランシーバデバイスと第２のワイヤレストランシーバデバイスとの間のレンジを示す１つまたは複数のパラメータを決定するための手段と、１つまたは複数のパラメータを備える１つまたは複数のメッセージを、第１のワイヤレストランシーバデバイスから第２のワイヤレストランシーバデバイスに送信するための手段、ここにおいて、第１および第２のワイヤレストランシーバデバイスは、関連付けられていない、とを備える、第１のワイヤレストランシーバデバイスを対象とする。
【０００７】
[0006]別の特定のインプリメンテーションは、記憶されたコンピュータ読取り可能命令を備える非一時的記憶媒体を対象とし、その命令は、第１のワイヤレストランシーバデバイスにおいて受信された１つまたは複数のファインタイミング測定（ＦＴＭ）メッセージの受信に少なくとも部分的に基づいて、第１のワイヤレストランシーバデバイスと第２のトランシーバデバイスとの間のレンジを示す１つまたは複数のパラメータを決定することと、１つまたは複数のパラメータを備える１つまたは複数のメッセージの、第１のワイヤレストランシーバデバイスを通じた送信を開始すること、ここにおいて、第１および第２のワイヤレストランシーバデバイスは、関連付けられていない、とを行うために、第１のワイヤレストランシーバデバイスのプロセッサによって実行可能である。
【０００８】
[0007]別の特定のインプリメンテーションは、第１のワイヤレストランシーバデバイスと第２のワイヤレストランシーバデバイス以外の第３のワイヤレストランシーバデバイスとの間のレンジを示す１つまたは複数のパラメータを備える１つまたは複数のメッセージを、第１のワイヤレストランシーバデバイスから第２のワイヤレストランシーバデバイスに送信すること、ここにおいて、１つまたは複数のパラメータは、第１のワイヤレストランシーバデバイスにおいて受信された１つまたは複数のファインタイミング測定（ＦＴＭ）メッセージの受信に少なくとも部分的に基づいて、決定され、第１および第２のワイヤレストランシーバデバイスは、関連付けられていない、を備える、第１のワイヤレストランシーバデバイスにおける方法を対象とする。
【０００９】
[0008]別の特定のインプリメンテーションは、ワイヤレストランシーバと、第１のワイヤレス局（ＳＴＡ）と第２のＳＴＡ以外の第３のＳＴＡとの間のレンジを示す１つまたは複数のパラメータを備えるメッセージの、第１のＳＴＡから第２のＳＴＡへの送信を開始すること、ここにおいて、１つまたは複数のパラメータは、第１のワイヤレストランシーバデバイスにおいて受信された１つまたは複数のファインタイミング測定（ＦＴＭ）メッセージの受信に少なくとも部分的に基づいて、決定され、第１および第２のワイヤレストランシーバデバイスは、関連付けられていない、を行うために、ワイヤレストランシーバに結合されたプロセッサとを備える、第１のＳＴＡを対象とする。
【００１０】
[0009]別の特定のインプリメンテーションは、第１のワイヤレストランシーバデバイスにおいて受信された１つまたは複数のファインタイミング測定（ＦＴＭ）メッセージの受信に少なくとも部分的に基づいて、第１のワイヤレストランシーバデバイスと第２のワイヤレストランシーバデバイスとの間のレンジを示す１つまたは複数のパラメータを決定するための手段と、１つまたは複数のパラメータを備える１つまたは複数のメッセージを、第１のワイヤレストランシーバデバイスから第２のワイヤレストランシーバデバイス以外の第３のワイヤレストランシーバデバイスに送信するための手段、ここにおいて、第１および第３のワイヤレストランシーバデバイスは、関連付けられていない、とを備える、第１のワイヤレストランシーバデバイスを対象とする。
【００１１】
[00010]別の特定のインプリメンテーションは、記憶されたコンピュータ読取り可能命令を備える非一時的記憶媒体を対象とし、その命令は、第１のワイヤレストランシーバデバイスと第２のワイヤレストランシーバデバイス以外の第３のワイヤレストランシーバデバイスとの間のレンジを示す１つまたは複数のパラメータを備える１つまたは複数のメッセージの、第１のワイヤレストランシーバデバイスからの送信を開始すること、ここにおいて、１つまたは複数のパラメータは、第１のワイヤレストランシーバデバイスにおいて受信された１つまたは複数のファインタイミング測定（ＦＴＭ）メッセージの受信に少なくとも部分的に基づいて、決定され、第１および第２のワイヤレストランシーバデバイスは、関連付けられていない、を行うために、第１のワイヤレストランシーバデバイスのプロセッサによって実行可能である。
【００１２】
[00011]別の特定のインプリメンテーションは、第２のワイヤレストランシーバデバイスと第１のワイヤレストランシーバデバイス以外の第３のワイヤレストランシーバデバイスとの間のレンジを示す１つまたは複数のパラメータを備える１つまたは複数のメッセージを、第２のワイヤレストランシーバデバイスから受信すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を備える、第１のワイヤレストランシーバデバイスにおける方法を対象とする。
【００１３】
[00012]別の特定のインプリメンテーションは、ワイヤレストランシーバと、第２のワイヤレス局（ＳＴＡ）と第１のＳＴＡ以外の第３のＳＴＡとの間のレンジを示す１つまたは複数のパラメータを備える、第２のＳＴＡからワイヤレストランシーバにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うためにワイヤレストランシーバに結合されたプロセッサとを備える、第１のＳＴＡを対象とする。
【００１４】
[00013]別の特定のインプリメンテーションは、記憶されたコンピュータ読取り可能命令を備える非一時的記憶媒体を対象とし、その命令は、第２のワイヤレストランシーバデバイスと第１のワイヤレストランシーバデバイス以外の第３のワイヤレストランシーバデバイスとの間のレンジを示す１つまたは複数のパラメータを備える、第２のワイヤレストランシーバデバイスから第１のワイヤレストランシーバデバイスにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うために、第１のワイヤレストランシーバデバイスのプロセッサによって実行可能である。
【００１５】
[00014]別の特定のインプリメンテーションは、第１のワイヤレストランシーバデバイスと第２のワイヤレストランシーバデバイスとの間のレンジを示す１つまたは複数のパラメータを備える１つまたは複数のメッセージを、第２のワイヤレストランシーバデバイスから受信すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を備える、第１のワイヤレストランシーバデバイスにおける方法を対象とする。
【００１６】
[00015]別の特定のインプリメンテーションは、ワイヤレストランシーバと、第１のワイヤレス局（ＳＴＡ）と第２のＳＴＡとの間のレンジを示す１つまたは複数のパラメータを備える、第２のＳＴＡからワイヤレストランシーバにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うためにワイヤレストランシーバに結合されたプロセッサとを備える、第１のＳＴＡを対象とする。
【００１７】
[00016]別の特定のインプリメンテーションは、記憶されたコンピュータ読取り可能命令を備える非一時的記憶媒体を対象とし、その命令は、第１のワイヤレストランシーバデバイスと第２のワイヤレストランシーバデバイスとの間のレンジを示す１つまたは複数のパラメータを備える、第２のワイヤレストランシーバデバイスから第１のワイヤレストランシーバデバイスにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うために、第１のワイヤレストランシーバデバイスのプロセッサによって実行可能である。
【００１８】
[0017]前述されたインプリメンテーションが、単に例となるインプリメンテーションに過ぎないこと、および特許請求される主題が、これらの例となるインプリメンテーションのいずれの特定の態様に必ずしも限定されないことが理解されるべきである。
【図面の簡単な説明】
【００１９】
[00018]特許請求される主題は、本明細書の結びの部分において明瞭に特許請求され、特に指摘される。しかしながら、それらの目的、特徴、および／または利点とともに、構成および／または動作の方法の両方に関しては、添付の図面とともに読まれた場合に以下の詳細な説明を参照することによって最もよく理解され得る。
【図１】[00019]図１は、一インプリメンテーションに従った、モバイルデバイスを含むシステムのある特定の特徴を例示するシステム図である。
【図２】[00020]図２は、特定の実施形態による、メッセージフロー図である。
【図３】図３は、特定の実施形態による、メッセージフロー図である。
【図４】[00021]図４は、一実施形態による、アソシエーションプロセスにおいてワイヤレストランシーバデバイスを関連付けるためのプロセスを例示するメッセージフロー図である。
【図５Ａ】[00022]図５Ａは、特定の実施形態による、デバイス間のレンジを示すパラメータを提供するためのプロセスのフロー図である。
【図５Ｂ】図５Ｂは、特定の実施形態による、デバイス間のレンジを示すパラメータを提供するためのプロセスのフロー図である。
【図６】[00023]図６は、特定の実施形態による、ワイヤレス局間で送信されたメッセージのフィールドを例示する図である。
【図７】図７は、特定の実施形態による、ワイヤレス局間で送信されたメッセージのフィールドを例示する図である。
【図８】[00024]図８は、一インプリメンテーションに従った、例となるデバイスを例示する略ブロック図である。
【図９】[00025]図９は、一インプリメンテーションに従った、例となるコンピューティングシステムの略ブロック図である。
【００２０】
[00026]以下の詳細な説明において添付の図面への言及がなされ、それは、本願の一部分を形成し、ここにおいて、同様の数字は、全体を通じて、対応するおよび／または類似する同様の部分を指定し得る。簡潔さおよび／または例示の明確さなどのために、図は必ずしも縮尺通りに描かれていないことがあり得ることが認識されるであろう。例えば、いくつかの態様の寸法は、他のものに対して誇張され得る。さらに、他の実施形態が利用され得ることが理解されるべきである。さらに、構造的および／または他の変更が、特許請求される主題から逸脱することなしになされ得る。「特許請求される主題」に対するこの明細書全体を通じた言及は、１つまたは複数の請求項、またはそれらの任意の一部分によってカバーされることを意図された主題を指しており、完全な請求項のセット、請求項のセットの特定の組合せ（例えば、方法の請求項、装置の請求項、等）、または特定の請求項を指すことは必ずしも意図されていない。例えば、上、下、上部、下部、等のような方向および／または基準が、図面の論述を容易にするために使用され得、特許請求される主題の適用を制限することは意図されていないこともまた留意されるべきである。それ故、以下の詳細な説明は、特許請求される主題および／または同等物を限定するように受け取られるべきではない。
【詳細な説明】
【００２１】
[00027]１つのインプリメンテーション、一インプリメンテーション、１つの実施形態、一実施形態、および／または同様のものへのこの明細書全体を通じた言及は、特定のインプリメンテーションおよび／または実施形態に関連して説明される特定の特徴、構造、特性、および／または同様のものが特許請求される主題の少なくとも１つのインプリメンテーションおよび／または実施形態に含まれることを意味する。このことから、例えば、この明細書全体を通じた様々な場所におけるそのようなフレーズの出現が、同じインプリメンテーションおよび／または実施形態、あるいは任意の１つの特定のインプリメンテーションおよび／または実施形態を指すことは必ずしも意図されていない。さらに、説明される特定の特徴、構造、特性、および／または同様のものは、１つまたは複数のインプリメンテーションおよび／または実施形態において様々な方法で組み合わされることが可能であり、それ故、意図された特許請求の範囲内にあることが理解されるべきである。一般に、当然ながら、特許出願の明細書に関して常に実情であったように、これらおよび他の問題は、用法の特定のコンテキストにおいて異なる可能性がある。言い換えれば、本特許出願全体を通じて、説明および／または用法の特定のコンテキストは、引き出される合理的な推論に関する役に立つ指針を提供するが、しかしながら、同様に、さらなる条件を有さない一般の（in general without further qualification）「このコンテキストにおいて」は、本特許出願のコンテキストを指す。
【００２２】
[00028]下記で述べられるように、特定のメッセージフローは、ワイヤレス局（ＳＴＡ）間のメッセージの送信に関連してレンジの効果的および効率的な測定を可能にし得る。特定の例では、ＳＴＡは、例えば、モバイルユーザ局（例えば、スマートフォン、ノートブックコンピュータ、タブレットコンピュータ、等）またはワイヤレスサービスアクセスデバイス（例えば、ワイヤレスローカルエリアネットワーク（ＷＬＡＮ）アクセスポイント、パーソナルエリアネットワーク（ＰＡＮ）またはフェムトセル）などの、いくつかのタイプのトランシーバデバイスのうちのいずれか１つを備え得る。特定のメッセージフローおよびメッセージフレームにおけるフィールドは、例えば、より少ないメッセージを使用してワイヤレスＳＴＡ間のレンジを測定するのに十分な精度で往復時間（ＲＴＴ）または飛行時間（ＴＯＦ：time of flight）の測定値を取得することを可能にし得る。そのような測定されたレンジは、例えば、測位動作を含むいくつかのアプリケーションのうちのいずれか１つにおいて使用され得る。
【００２３】
[00029]下記で述べられるように、第１のＳＴＡは、第１のＳＴＡがＲＴＴまたはＴＯＦの測定値を取得することを可能にするメッセージまたはフレームの交換のためのプロセスを開始するために、第２のＳＴＡにファインタイミング測定要求メッセージを送信し得る。特定のインプリメンテーションにおいて、ファインタイミング測定要求メッセージは、第１のＳＴＡが測距測定値（ranging measurements）またはレンジを示す他のパラメータを共有する能力がある（is capable of）かどうかに関するインジケーションを含み得る。特定のインプリメンテーションにおいて、ＲＴＴまたはＴＯＦの測定値の算出の後に、第１のＳＴＡは、算出されたレンジ、ＴＯＦまたはＲＴＴの測定値、あるいはレンジを示す他のパラメータを備える１つまたは複数のメッセージを、第２のＳＴＡに送信し得る。これが単に例となるインプリメンテーションに過ぎないこと、および特許請求される主題がこの点において限定されないことが理解されるべきである。
【００２４】
[00030]ＲＴＴの測定のためのＳＴＡ間のメッセージの送信は、典型的には、数例を挙げると、音声、ビデオ、ＨＴＴＰ、データなどの、他のアプリケーションをサポートする他のメッセージトラフィックに加えて起こる。従って、高密度の動作環境において、ＲＴＴの測定のためのＳＴＡ間のメッセージングは、ワイヤレスリンクリソースのための輻輳および競合を増加させ得る。下記で述べられる特定のインプリメンテーションにおいて、特定の測位技法は、ＲＴＴを測定するために使用される典型的な技法よりも少ないメッセージを使用して、ＳＴＡ間のメッセージの送信のためにＴＯＦを測定することによってサポートされ得る。一実施形態によれば、ＴＯＦは、シーケンスにおいて近接して送信されるメッセージの「バースト」における個々のメッセージに関して測定され得る。受信されたメッセージのバーストからの複数のＴＯＦの測定値を組み合わせることは、例えば、測定誤差（measurement errors）の低減を可能にし得る。
【００２５】
[00031]一実施形態によれば、第１のＳＴＡは、第２のＳＴＡが第１および第２のＳＴＡとの間のレンジを示すパラメータを提供および共有することを要求するメッセージを、第２のＳＴＡに送信し得る。ここで、第２のＳＴＡは、ＦＴＭレンジレポートメッセージを送信することによって、そのような要求に応答し得る。このシナリオにおいて、第１および第２のＳＴＡは、特定のデータ、情報、またはメッセージングの交換を可能にする特定の通信チャネルが確立されていたという点で、「関連付けられた」状態にあり得る。第１および第２のＳＴＡは、第１および第２のＳＴＡのうちの少なくとも１つがアクセスポイント（ＡＰ）を備え、かつ第１および第２のＳＴＡが前もってメッセージの交換に従事していた（had engaged in）場合、関連付けられた状態にあり得る。関連付けられた状態にある第１および第２のデバイスの不在（the absence of）においては、第１および第２のデバイスがレンジを示すパラメータを交換することを可能にする便利なプロシージャは何もない。このことは、ＦＴＭメッセージの交換に基づいて、レンジを示すパラメータを共有するためのデバイスの能力を著しく制限する。
【００２６】
[00032]一実施形態によれば、図１において示されるように、モバイルデバイス１００ａまたは１００ｂは、ワイヤレス通信ネットワークに無線信号を送信し得、ワイヤレス通信ネットワークから無線信号を受信し得る。１つの例において、モバイルデバイス１００は、ワイヤレス通信リンク１２５上でローカルトランシーバ１１５にワイヤレス信号を送信すること、または、それからワイヤレス信号を受信することによって、通信ネットワークと通信し得る。
【００２７】
[00033]特定のインプリメンテーションにおいて、ローカルトランシーバ１１５は屋内環境において配置され得る。ローカルトランシーバ１１５は、ワイヤレスローカルエリアネットワーク（ＷＬＡＮ、例えば、ＩＥＥＥ規格８０２．１１ネットワーク）またはワイヤレスパーソナルエリアネットワーク（ＷＰＡＮ、例えば、Ｂｌｕｅｔｏｏｔｈ（登録商標）ネットワーク）へのアクセスを提供し得る。別の例示的なインプリメンテーションにおいて、ローカルトランシーバ１１５は、セルラ通信プロトコルに従うワイヤレス通信リンク１２５上での通信を容易にする能力があるフェムトセルトランシーバを備え得る。当然ながら、これらは、単に、ワイヤレスリンクを介してモバイルデバイスと通信し得るネットワークの例に過ぎないこと、および特許請求される主題がこの点において限定されないことが理解されるべきである。
【００２８】
[00034]特定のインプリメンテーションにおいて、ローカルトランシーバ１１５ａまたは１１５ｂは、リンク１４５を通じてネットワーク１３０を介してサーバ１４０、１５０および／または１５５と通信し得る。ここで、ネットワーク１３０は、ワイヤードリンクまたはワイヤレスリンクの任意の組合せを備え得る。特定のインプリメンテーションにおいて、ネットワーク１３０は、ローカルトランシーバ１１５を通じてモバイルデバイス１００とサーバ１４０、１５０または１５５との間の通信を容易にする能力があるインターネットプロトコル（ＩＰ）インフラストラクチャを備え得る。別のインプリメンテーションにおいて、ネットワーク１３０は、モバイルデバイス１００とのモバイルセルラ通信を容易にするために、ワイヤードまたはワイヤレス通信ネットワークインフラストラクチャを備え得る。
【００２９】
[00035]特定のインプリメンテーションにおいて、モバイルデバイス１００は、ローカル送信機（例えば、既知のロケーションに配置されたＷＬＡＮアクセスポイント）から捕捉された信号に少なくとも部分的に基づいて位置フィックスを算出する能力があり得る。例えば、モバイルデバイスは、既知のロケーションに配置された３つ以上の屋内の地上ワイヤレスアクセスポイントまでのレンジを測定することによって位置フィックスを取得し得る。このようなレンジは、例えば、そのようなアクセスポイントから受信された信号からＭＡＣ  ＩＤアドレスを取得することと、例えば、受信信号強度（ＲＳＳＩ）またはＲＴＴなどの、そのようなアクセスポイントから受信された信号の１つまたは複数の特性を測定することによって、アクセスポイントまでのレンジ測定値を取得することとによって測定され得る。代替的なインプリメンテーションにおいて、モバイルデバイス１００は、期待される（expected）到着の角度（ＡｏＡ：angle of arrival）を示す無線ヒートマップに、捕捉された信号の特性を適用することによって屋内位置フィックスを取得し得る。他の代替のインプリメンテーションにおいて、上記で指摘されたように、モバイルデバイス１００は、期待されるＴＯＦを示す無線ヒートマップに、捕捉された信号の特性を適用することによって屋内位置フィックスを取得し得る。従って、無線ヒートマップは、屋内のエリアにおける特定のロケーションでの、ＴＯＦ、ＡｏＡ、ＳＩおよび／またはＲＴＴ署名（signatures）を備え得る。特定のインプリメンテーションにおいて、無線ヒートマップは、ローカル送信機のアイデンティティ（例えば、ローカル送信機から捕捉された信号から認識可能である（discernible from）ＭＡＣアドレス）、識別されたローカル送信機によって送信される信号からの期待されるＲＳＳＩ、識別された送信機からの期待されるＲＴＴ、および場合によっては、これら期待されるＡｏＡ、ＴＯＦ、ＲＳＳＩ、またはＲＴＴからの標準偏差を関連付け得る。しかしながら、これらが、単に、無線ヒートマップに記憶され得る値の例に過ぎないこと、および特許請求される主題がこの点において限定されないことが理解されるべきである。
【００３０】
[00036]特定のインプリメンテーションにおいて、モバイルデバイス１００またはローカルトランシーバ１１５は、サーバ１４０、１５０、または１５５から、屋内測位動作のための測位支援データを受信し得る。例えば、このような測位支援データは、例えば、測定されたＲＳＳＩおよび／またはＲＴＴに少なくとも部分的に基づいて、既知のロケーションに配置された送信機までのレンジを測定することを可能にするための、これらの送信機のロケーションおよびアイデンティティを含み得る。屋内測位動作を援助する（aid）他の測位支援データは、数個の例を挙げると、無線ヒートマップ、磁気ヒートマップ、送信機のロケーションおよびアイデンティティ、ルーティング可能性グラフを含み得る。
【００３１】
[00037]特定のインプリメンテーションにおいて、ワイヤレスＳＴＡ間の特定のメッセージフローは、上記で述べられるような測位動作における使用のためにＳＴＡ間でのメッセージの交換からＲＴＴの測定値を取得するためにインプリメントされ得る。特定のインプリメンテーションにおいて、下記に説明されるように、いずれのＳＴＡも、モバイルデバイス（例えば、モバイルデバイス１００）を備え得るかまたは据え置き型のトランシーバ（例えば、ＩＥＥＥ規格８０２．１１アクセスポイント、据え置き型のＢｌｕｅｔｏｏｔｈデバイス、ローカルトランシーバ１１５、等）を備え得る。そのように、ワイヤレスＳＴＡ間のメッセージの交換は、数例を挙げると、モバイルデバイスと据え置き型のトランシーバとの間の（例えば、ワイヤレスリンク１２５を介してモバイルデバイス１００とローカルトランシーバ１１５との間の）、２つのピアモバイルデバイス間の（例えば、ワイヤレスリンク１５９を介してモバイルデバイス１００ａと１００ｂとの間の）、または、２つの据え置き型のトランシーバ間の（例えば、ワイヤレスリンク１７９を介してローカルトランシーバ１１５ａとローカルトランシーバ１１５ｂとの間の）メッセージの交換を備え得る。特定のインプリメンテーションにおいて、ここに説明される様々な技法は、必ずしも全てではないが、いくつかの、ＩＥＥＥ  Ｐ８０２．１１−ＲＥＶｍｃ（商標）／Ｄ６．０  Ｄｒａｆｔ  Ｓｔａｎｄａｒｄ  ８０２．１１  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ，  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ（ＰＨＹ）、２０１６年１月（以下「ＩＥＥＥ規格８０２．１１」）、２０１６年６月、の特徴または態様を組み込み得る。実際に、ＩＥＥＥ規格８０２．１１において、ここで説明されるいくつかの特徴が示されないこと、説明されないこと、または教示されないことは理解されるべきである。
【００３２】
[00038]図２は、一実施形態による、「応答」（responding）ＳＴＡおよび「開始」（initiating）ＳＴＡを含むワイヤレス局ＳＴＡ間のメッセージフローを例示する図である。このコンテキストにおいて、応答ＳＴＡまたは開始ＳＴＡは、モバイルデバイス（例えば、モバイルデバイス１００）または固定アクセストランシーバデバイス（例えば、ローカルトランシーバ１１５）を含むいくつかのトランシーバデバイスのうちのいずれか１つを備え得る。しかしながら、これらが、単に開始ＳＴＡまたは応答ＳＴＡの例に過ぎないこと、および特許請求される主題がこの点において限定されないことは理解されるべきである。開始ＳＴＡは、開始ＳＴＡと応答ＳＴＡとの間で送信されるメッセージまたはフレームのタイミングに少なくとも部分的に基づいて、ＲＴＴの１つまたは複数の測定値を取得または算出し得る。本明細書で使用される場合、「メッセージ」および「フレーム」という用語は、互換的に使用される。開始ＳＴＡは、応答ＳＴＡにファインタイミング測定要求メッセージまたはフレーム（「要求」）２０２を送信し得、それに応答して送信されたファインタイミング要求メッセージ肯定応答メッセージまたはフレーム（「Ａｃｋ」）２０４を受信し得る。特定のインプリメンテーションにおいて、この点において特許請求される主題を限定しないが、そのようなファインタイミング測定要求メッセージ２０２の内容は、ＩＥＥＥ規格８０２．１１において示されているようなものであり得る。特定のインプリメンテーションにおいて、そのようなＡｃｋフレーム２０４は、単に、前に送信されたメッセージの受信のインジケーションを提供し得る。開始ＳＴＡは、次いで、応答ＳＴＡから受信された（およびファインタイミング測定要求メッセージの受信に応答して送信された）ファインタイミング測定メッセージまたはフレーム（「Ｍ」）２０６において提供されるタイムスタンプ値（ｔ１、ｔ４）に少なくとも部分的に基づいて、ＲＴＴの測定値を取得または算出し得る。特定のインプリメンテーションにおいて、メッセージフロー図に示されているように、ファインタイミング測定肯定応答メッセージ２０８によって後続される交互のファインタイミング測定メッセージ（alternating fine timing measurement messages）２０６の複数の交換のシーケンスは、追加のタイムスタンプ値（ｔ１、ｔ２、ｔ３およびｔ４）を作成し得る。
【００３３】
[00039]一実施形態によれば、開始ＳＴＡによって送信されたファインタイミング測定（ＦＴＭ）要求メッセージは、開始ＳＴＡに、開始ＳＴＡがＲＴＴの測定値を算出することを可能にするファインタイミング測定を提供するための、応答ＳＴＡとのメッセージの所望の交換を特徴づけるフィールド、パラメータ、等を含み得る。ＦＴＭ要求メッセージの受信に応答して、応答ＳＴＡは、開始ＳＴＡがＲＴＴ、またはレンジを示す他のパラメータを算出することを可能にする測定値またはパラメータを含む１つまたは複数のＦＴＭメッセージを開始ＳＴＡに送信し得る。
【００３４】
[00040]特定のインプリメンテーションにおいて、特許請求される主題をこの点において限定しないが、そのようなファインタイミング測定メッセージまたはフレームの内容は、ＩＥＥＥ規格８０２．１１において示されているようなものであり得る。１つの例となるインプリメンテーションにおいて、開始ＳＴＡは、ＲＴＴの測定値を（ｔ４−ｔ１）−（ｔ３−ｔ２）として算出し得、ここで、ｔ２およびｔ３は、それぞれ、前のファインタイミング測定メッセージまたはフレームの受信の時間および先行する肯定応答メッセージまたはフレームの送信の時間である。開始ＳＴＡは、受信ＳＴＡと応答ＳＴＡとの間のレンジを算出する際の不偏測定雑音（unbiased measurement noise）のキャンセレ―ション（cancellation）のために組み合わせられ得る対応する数のＲＴＴの測定値を取得するために、バーストにおける一連のファインタイミング測定要求メッセージを送信し得る。
【００３５】
[00041]ＦＴＭ要求メッセージおよびＦＴＭメッセージは、他のサービスのための（例えば、インターネットプロトコルメッセージングのための）フレームまたはメッセージに加えてＳＴＡによって送信され得る。空港ターミナルまたはスタジアムイベントなどの、高密度のワイヤレストラフィックシナリオにおいて、ＲＴＴの算出のためのＦＴＭ要求メッセージおよびＦＴＭメッセージの送信は、ＳＴＡにおける利用可能なメッセージング容量にストレスを加え（stress）得る。本明細書で述べられる特定のインプリメンテーションは、ＳＴＡによるより少ないメッセージの送信を使用するＳＴＡ間のレンジの算出のために測定値を取得するためのメッセージの交換を対象とし得る。
【００３６】
[00042]一実施形態によれば、送信デバイスからワイヤレスに送信され、受信デバイスにおいて捕捉されたメッセージのＴＯＦは、送信されたメッセージが、送信時間を示すタイムスタンプ値を含む場合、測定され得る。特定のインプリメンテーションにおいて、送信されたメッセージは、受信デバイスにおいて検出可能である符号化されたシンボルを含むフィールド（例えば、プリアンブル、ヘッダおよびペイロード）を備え得る。送信されたメッセージを捕捉し、到着時間を決定するために、受信デバイスは、メッセージによって送信されているシンボルのシーケンスにおける特定の１つまたは複数のシンボルを検出または復号し得る。特定のシンボルが、送信されたメッセージ中にもまた含まれるタイムスタンプ値に言及する（is referenced to）場合、受信デバイスは、タイムスタンプ値と特定のシンボルが復号または検出された場合（instance）との間の異なるに基づいて、ＴＯＦ＝ＲＴＴ／２を測定し得る。
【００３７】
[00043]特定のネットワーク中心の測位（ＮＣＰ：network-centric positioning）技法において、アクセスポイント（ＡＰ）は、モバイルデバイスが、モバイルデバイスのロケーションを算出するために使用され得る測定値を取得することを要求し得る。例えば、ＡＰは、ＩＥＥＥ規格８０２．１１において記載されるように、複数のデバイスと交換されたメッセージ（例えば、エリアにおいて動作中の他のＡＰおよびそのＡＰと交換されるメッセージ）に基づいて、モバイルデバイスが測定値を取得することを要求するために、モバイルデバイスにＦＴＭレンジ要求メッセージを送信し得る。図３において例示されるように、アクセスポイントＡＰ１は、モバイルデバイスＭＤにＦＴＭレンジ要求メッセージ３０２を送信する。特定のインプリメンテーションにおいて、ＦＴＭレンジレポートメッセージ３０２は、ＩＥＥＥ規格８０２．１１に準じて送信され得る。モバイルデバイスＭＤは、次いで、いくつかの例を挙げると、例えば、ＲＴＴまたはＴＯＡのような、測定値を取得するために、アクセスポイントＡＰ１、アクセスポイントＡＰ２、およびアクセスポイントＡＰ３との、１つまたは複数のメッセージ交換３０４（例えば、ＦＴＭ要求メッセージおよびＦＴＭメッセージ）を有し得る。モバイルデバイスＭＤは、次いで、例えば、ＩＥＥＥ規格８０２．１１に記載されるような、アクセスポイントＡＰ１、ＡＰ２またはＡＰ３、あるいはそれらの任意の組合せまでのレンジを示すパラメータ（例えば、測定されたレンジ、ＲＴＴの測定値、ＴＯＡ測定値またはレンジを示す他の測定値）を含む、ＦＴＭレンジレポートメッセージ３０８を送信し得る。
【００３８】
[00044]このコンテキストにおいて、モバイルデバイスＭＤは、モバイルデバイスＭＤが、少なくとも１つの他のネイバリングワイヤレストランシーバデバイスまでのレンジを示す観測（observations）（例えば、メッセージ、信号、等）を取得する能力があるワイヤレストランシーバデバイスを備えるという点で、「観測するワイヤレストランシーバデバイス」の特定の例を提供する。しかしながら、モバイルデバイスＭＤは、単に観測するワイヤレストランシーバデバイスの例であり、ワイヤレストランシーバデバイスの他のタイプ（例えば、据え置き型のアクセスポイント）は、特許請求される主題から逸脱することなく使用され得ることが理解されるべきである。また、アクセスポイントＡＰ１は、アクセスポイントＡＰ１が、ネイバリングワイヤレストランシーバデバイスの観測を取得する際に、観測するワイヤレストランシーバデバイスによって使用され得るパラメータ、値、等を提供することを備える観測するワイヤレストランシーバデバイスにメッセージを送信する能力があるワイヤレストランシーバデバイスを備えるという点において、「支援するワイヤレストランシーバデバイス」の特定の例を提供し得る。しかしながら、アクセスポイントＡＰ１は、単に支援するワイヤレストランシーバデバイスの例であり、他のタイプのワイヤレストランシーバデバイス（例えば、モバイルデバイス）は、特許請求される主題から逸脱することなく使用され得ることが理解されるべきである。
【００３９】
[00045]一実施形態によれば、ＦＴＭレンジ要求メッセージ３０２は、アクセスポイントＡＰ１、ＡＰ２およびＡＰ３のような、ネイバリングワイヤレストランシーバデバイスとのメッセージ３０４の１つまたは複数の交換を開始またはそれに参加する際に、モバイルデバイスＭＤによって使用され得るパラメータを提供し得る。メッセージ３０４のそのような交換は、モバイルデバイスＭＤが、例えば、ＲＴＴ、ＴＯＦ、またはレンジの測定値などの、モバイルデバイスＭＤとネイバリングワイヤレストランシーバデバイスとの間のレンジを示す１つまたは複数の測定値または観測を取得することを可能にし得る。１つの例となるインプリメンテーションにおいて、モバイルデバイスＭＤとネイバリングワイヤレストランシーバデバイスとの間のメッセージ３０４の交換は、上記で述べられるような、開始ＳＴＡとして振る舞うモバイルデバイスＭＤ、および応答ＳＴＡとして振る舞うネイバリングワイヤレストランシーバデバイスとして、実行され得る。代替のインプリメンテーションにおいて、モバイルデバイスＭＤとネイバリングワイヤレストランシーバデバイスとの間のメッセージ３０４の交換は、上記で述べられるような、応答ＳＴＡとして振る舞うモバイルデバイスＭＤ、および開始ＳＴＡとして振る舞うネイバリングワイヤレストランシーバデバイスとして、実行され得る。例となる実施形態において、モバイルデバイスＭＤとネイバリングワイヤレストランシーバデバイスとの間のネゴシエーション３１０は、メッセージ３０４の次の（subsequent）交換のための開始ＳＴＡおよび応答ＳＴＡとしての役割の決定を可能にし得る。ここで、この特定の例となるインプリメンテーションにおいて、モバイルデバイスＭＤは、開始として振る舞い得、一方でアクセスポイントＡＰ１、ＡＰ２およびＡＰ３は、モバイルデバイスＭＤに関して応答ＳＴＡとして機能し（perform as）得る。
【００４０】
[00046]図３の特定のインプリメンテーションにおいて、支援するワイヤレストランシーバデバイスとして振る舞うアクセスポイントＡＰ１からのＦＴＭレンジ要求メッセージは、モバイルデバイスＭＤが、それと、観測または測定値を取得するためにメッセージを交換し得る特定のネイバリングワイヤレストランシーバデバイス（例えば、ＡＰ２およびＡＰ３）を示し得る。例えば、ＡＰ１は、１つまたは複数のネイバリングワイヤレストランシーバデバイスを特徴づけるパラメータを備える１つまたは複数のネイバーリポートメッセージを、観測するワイヤレストランシーバデバイスに送信し得る。
【００４１】
[00047]図３は、ＦＴＭレンジ要求メッセージ３０２に応答して、ＡＰ１にＦＴＭレンジレポートメッセージ３０８が提供される特定の実施形態を対象とする。いくつかのインプリメンテーションにおいて、ＡＰ１は、メッセージの交換に続いて、ＡＰ１およびＳＴＡを特定の接続状態に置くためにモバイルデバイスＭＤをネットワークと「関連付ける」ためのプロセス（例えば、ＳＴＡがある場に入るときに行われる認証プロシージャ）の過程で、モバイルデバイスＭＤが、ＦＴＭレンジレポートを提供する能力があることを決定し得る。ＦＴＭレンジレポートは、要求ＳＴＡが、ＦＴＭレンジレポート能力を宣伝する応答ＳＴＡに、レンジが上記で述べられるＦＴＭプロシージャを使用して決定される、応答ＳＴＡと他の近くのデバイスとの間のレンジを、測定および報告することを要求するための手段を提供し得る。
【００４２】
[00048]一実施形態において、要求ＳＴＡは、それが、応答ＳＴＡから、メッセージの無線測定（ＲＭ）使用可能能力要素においてＦＴＭレンジレポートを提供するためのそれの能力を示すメッセージを受信するとき、ＦＴＭレンジレポート能力を要求するための能力を取得し得る。そのようなＲＭ使用可能能力要素は、数個の例を挙げると、ビーコン、プローブ応答、アソシエーション要求、アソシエーション応答、再アソシエーション要求および再アソシエーション応答において存在し得る。そのように、第２のＳＴＡがアソシエーションプロセスの手段によってそれのサポートを宣伝していた場合、第１の要求ＳＴＡは、第２のＳＴＡにＦＴＭレンジレポートを要求し得る。ここで、特定の第１のＳＴＡがＦＴＭレンジレポートを要求する能力は、典型的に、第１のＳＴＡが前もってそれに関連付けられた他のＳＴＡに限定される。
【００４３】
[00049]上記で指摘されるように、アソシエーションプロセスは、ＳＴＡ間の通信のレベルを認証および確立するためのプロセスを備え得る。例となるインプリメンテーションにおいて、図４のメッセージフロー図において例示されるように、モバイル局およびＡＰは、モバイル局およびＡＰを認証されおよび関連付けられた状態に置くために、一連の（a series of）ＩＥＥＥ規格８０２．１１管理フレームを交換し得る。プローブ要求メッセージに先立って、モバイル局は、認証されておらず、かつ関連付けられていないものとして始まり得る。モバイル局は、それの近接内でＩＥＥＥ規格８０２．１１ネットワークを発見するために、プローブ要求を送信し得る。プローブ要求は、モバイル局のサポートされたデータレート、および、例えば、ＦＴＭメッセージまたはＦＴＭ要求メッセージの交換のためのＩＥＥＥ規格８０２．１１ｎに記載された能力のような、ＩＥＥＥ規格８０２．１１能力を宣伝し得る。プローブ要求は、モバイル局から宛先レイヤ−２アドレスおよびｆｆ：ｆｆ：ｆｆ：ｆｆ：ｆｆ：ｆｆのＢＳＳＩＤに送信されるため、プローブ要求を受信するＡＰは、応答し得る。プローブ要求を受信するＡＰは、モバイル局が少なくとも１つの共通にサポートされたデータレートを有するかどうかを確かめるためにチェックし得る。それらが互換性のあるデータレートを有する場合、プローブ応答メッセージは、ＡＰのＳＳＩＤ（ワイヤレスネットワークネーム）、サポートされたデータレート、暗号化タイプまたは他のＩＥＥＥ規格８０２．１１能力、あるいは、それらの任意の組合せのような、パラメータを宣伝するために送信され得る。
【００４４】
[00050]一実施形態によれば、モバイル局は、それが受信するプローブ応答の中から互換性のあるネットワークを選び得る。互換性は、例えば、暗号化タイプに基づき得る。一旦、互換性のあるネットワークが発見されると、モバイル局は、互換性のあるＡＰとの低レベルＩＥＥＥ規格８０２．１１認証を試み得る。ここで、ＩＥＥＥ規格８０２．１１認証は、モバイル局が認証されおよび関連付けられた後に起こるＷＰＡ２または８０２．１Ｘ認証機構と同じではない可能性があることが指摘される。
【００４５】
[00051]モバイル局は、認証をオープン状態に、およびシーケンスを０ｘ０００１に設定する低レベルＩＥＥＥ規格８０２．１１認証フレームを、ＡＰに送信し得る。ＡＰは、認証フレームを受信し得、０ｘ０００２のシーケンスを示す、開くように設定された認証フレームを用いて、モバイル局に応答し得る。ＡＰが認証されていないモバイル局から認証またはプローブ要求以外の任意のフレームを受信する場合、それは、モバイルを認証されていない（unauthenticated）、関連付けられていない（unassociated）状態に置く認証解除（deauthentication）フレームを用いて、応答し得る。局は、次いで、低レベルの認証ステップからアソシエーションプロセスを始めなければいけない可能性がある。このポイントでは、モバイル局は、認証されているが、いまだＡＰと関連付けられていない可能性がある。いくつかの特定のインプリメンテーションにおいて、ＩＥＥＥ規格８０２．１１能力は、モバイル局が、複数のＡＰに対して、低レベルで認証することを可能にし得る。これは、ＡＰ間を移動している場合、モバイル局アソシエーションプロセスの速度を上げ得る。特定のインプリメンテーションにおいて、モバイル局は、複数のＡＰに対してＩＥＥＥ規格８０２．１１で認証されている可能性がある。
【００４６】
[00052]一旦、モバイル局が、（応答ＡＰの中から）関連付けを行うためのＡＰを選択すると、モバイル局は、アソシエーション要求を選択されたＡＰに送信し得る。アソシエーション要求は、選ばれた暗号化タイプおよび他の互換性のあるＩＥＥＥ規格８０２．１１能力を含み得る。
【００４７】
[00053]ＡＰが認証されているが関連付けられていないモバイル局からフレームを受信する場合、それは、モバイル局を認証されているが関連付けられていない状態に置く関連付け解除（disassociation）フレームを用いて、応答し得る。アソシエーション要求における要素がＡＰの能力とマッチする場合、ＡＰは、モバイル局に関してアソシエーションＩＤを作成し得、および、モバイル局へのネットワークアクセスを許可する成功メッセージを有するアソシエーション応答を用いて、応答し得る。アソシエーション応答メッセージに続いて、モバイル局は、成功裏にＡＰに関連付けられ得、例えば、ＦＴＭメッセージおよびＦＴＭ要求メッセージの交換のような、データ転送を開始し得る。
【００４８】
[00054]ＦＴＭプロシージャに参加している応答ＳＴＡによって、開始ＳＴＡのレンジを、後者の近くにあるＡＰを用い、およびそれ自体を用いて、取得することは、しばしば望まれる。しかしながら、開始ＳＴＡが、（例えば、図４において示されるプロセスにより）ＡＰ（ＦＴＭ応答者）と前もって関連付けられていない場合、そのＡＰは、ＦＴＭレンジレポートを要求および取得することができない可能性がある。以下に説明された特定のインプリメンテーションは、前提条件として、開始ＳＴＡの応答ＳＴＡとのアソシエーションを必須としない開始ＳＴＡから、応答ＳＴＡが、ＦＴＭレンジレポートを取得することを可能にするための技法を対象とする。
【００４９】
[00055]図５Ａおよび５Ｂは、一実施形態による、ＦＴＭメッセージの交換に少なくとも基づいて決定されたデバイス間のレンジを示すパラメータを伝える（convey）ために使用され得るプロセスのフロー図である。現在例示されている実施形態において、レンジを示すパラメータは、第１のワイヤレストランシーバデバイスから「関連付けられた」状態にない第２のワイヤレストランシーバデバイスに送信される。あるインプリメンテーションにおいて、ブロック５０２では、第１のワイヤレストランシーバデバイスは、第１のワイヤレストランシーバデバイスと第２のワイヤレストランシーバデバイスとの間のレンジを示す、または第１のワイヤレストランシーバデバイスと第２のワイヤレストランシーバデバイス以外の第３のワイヤレストランシーバデバイスとの間のレンジを示す、パラメータを決定し得る。これは、例えば、上記で述べられる、１つまたは複数の技法を使用するＦＴＭメッセージの交換に少なくとも部分的に基づいて、成就され（accomplished）得る。レンジを示す例となるパラメータは、レンジを示すパラメータの数個の非制限的な例を挙げると、例えば、距離（distance）、ＲＴＴの測定値、ＴＯＦの測定値、ＲＴＴまたはＴＯＦの測定値を算出するために使用され得る測定値を含み得る。
【００５０】
[00056]ブロック５０４において、第１のワイヤレストランシーバデバイスは、ブロック５０２において決定されるレンジを示すパラメータを備えるメッセージを、第２のワイヤレストランシーバデバイスに送信し得る。ブロック５０４において送信されたメッセージは、ブロック５０６においてワイヤレストランシーバデバイスによって受信され得る。ブロック５０６において受信されたメッセージにおけるレンジを示すパラメータは、ワイヤレストランシーバデバイスにおけるプロセッサによって１つまたは複数のアプリケーションをサポートするために処理され得る。ここで、特定の例示された例において、ブロック５０４は、上記で述べられたように、第１および第２のワイヤレストランシーバデバイスが関連付けられた状態にない間、メッセージを送信し得る。ここで、第１および第２のワイヤレストランシーバデバイスは、データリンクメッセージングを使用して、物理ワイヤレスリンク（例えば、ＩＥＥＥ規格８０２．１１に準じたワイヤレスリンク）において通信する能力があり得る。しかしながら、関連付けられていない状態にある間、データリンクメッセージングよりも高いレイヤにおける物理ワイヤレスリンクを通じて、メッセージを送信するための確立されたチャネルがない可能性がある。例えば、関連付けられていない状態にある間、第１および第２のワイヤレストランシーバデバイスは、ＦＴＭレンジレポートメッセージを交換するための確立されたチャネルを有しないことがある。このコンテキストにおいて、図４において例示されるように、および上記に説明されるように、クライアントデバイス（例えば、クライアントモバイルデバイス）およびアクセスデバイス（例えば、ＩＥＥＥ規格８０２．１１に準じて、クライアントデバイスと通信をするように構成されたアクセスポイント）は、（例えば、クライアントデバイスによる）アソシエーション要求メッセージに応答する（例えば、アクセスデバイスによる）アソシエーション応答メッセージの送信、および（例えば、クライアントデバイスにおける）アソシエーション応答メッセージの受信に続く「関連付けられた」状態にある。図４において例示されるように、アソシエーション要求メッセージおよびアソシエーション応答メッセージのそのような交換は、プローブ要求およびプローブ応答メッセージの交換、および認証メッセージの交換に続いて起こり得る。さらにこのコンテキストにおいて、「関連付けられていない」デバイスは、上記に述べられるような、アソシエーション応答メッセージによって後続されるアソシエーション要求メッセージを一度も交換していなかった、またはデバイスを関連付け解除させる（disassociates）イベント（例えば、先のアソシエーション状態からデバイスを関連付け解除させるイベント）に続くアソシエーション応答メッセージ（または再アソシエーション応答メッセージ）によって後続されるアソシエーション要求メッセージ（または再アソシエーション要求メッセージ）を交換していなかった、デバイスを意味する。
【００５１】
[00057]一実施形態によれば、ワイヤレストランシーバデバイスが前もって関連付けられているかどうかにかかわらず、デバイス間のレンジを示すパラメータは、（例えば、ブロック５０４において）ワイヤレストランシーバデバイス間に（例えば、図４において参照される第１および第２のワイヤレストランシーバデバイスのような、前もって関連付けられていないデバイス間にさえも）送信され得るメッセージまたはフレームのいくつかの異なるタイプのうちの何れの１つにおけるスタンドアロンおよび独立情報要素を介して、利用可能にされ得る。例えば、ＦＴＭまたはＦＴＭ要求メッセージに加えて、情報要素（例えば、ビーコン、プローブ要求、プローブ応答、アソシエーション要求／応答、ＡＮＱＰクエリ要求、ＡＮＱＰクエリ応答、など）をサポートするいくつかの既存のＩＥＥＥ規格８０２．１１フレームのうちのいずれかの１つは、別のデバイスにフレームを送信しているデバイス間のレンジを示すパラメータを送信するために使用され得る。このコンテキストにおいて、そのような情報要素は、メッセージまたはフレームにおける含有に関してＩＥＥＥ規格８０２．１１に記載されるような特定のフォーマットにおいて要素ＩＤフィールド、長さフィールド、要素ＩＤ拡張フィールドまたは情報フィールドを含むように具体的にフォーマットされたメッセージの関連するフィールドのコレクション（collection）を備え得る。情報要素の使用をサポートするメッセージまたはフレームを使用することは、図２において示されるプロセスを使用してデバイスがレンジパラメータを取得すること、しかし、次に、後続のメッセージにおける情報要素において取得したレンジパラメータを（ターゲットデバイスと最初に関連付けられることなしに）ターゲットデバイスに送信することを可能にする。これは、レンジ値を取得するためにジャスト・イン・タイムの（just-in-time）ＦＴＭプロシージャを行わなければいけないというオーバヘッドなしに、多量の（a plethora of）アプリケーションを可能にし得る。
【００５２】
[00058]図６および７は、一実施形態による、ワイヤレストランシーバデバイス間（例えば、開始ＳＴＡと応答ＳＴＡとの間）で送信されたメッセージのフィールドを示す図である。図６は、デバイス間で送信されたメッセージにおける情報要素のフィールド（例えば、ビーコン、プローブ要求、プローブ応答、アソシエーション要求／応答、アクセスネットワーククエリプロトコル（ＡＮＱＰ）クエリ要求メッセージ、ＡＮＱＰクエリ応答メッセージ、など）を示す。そのように、図６による情報要素を含むメッセージは、（例えば、図４において上記で説明されるプロセスにおいて）前もって関連付けられていないデバイス間で送信され得る。特定のインプリメンテーションにおいて、図５の情報要素のフィールドは、測距情報要素としてＩＥＥＥ規格８０２．１１仕様書において定義されたリザーブされた要素識別子から選択され得る。一実施形態によれば、図６において示される可変長フィールド「情報」は、レンジ（例えば、送信デバイスまたは別のデバイスとの間のレンジ）を示す１つまたは複数のパラメータを備え得る。上記で指摘されるように、レンジを示すこれらの１つまたは複数のパラメータは、例えば、図２を参照して上記で説明された、メッセージの交換に基づいて（例えば、ＲＴＴまたはＴＯＦの測定値に基づいて）、決定され得る。
【００５３】
[00059]一実施形態によれば、図６の可変長「情報」フィールドにおいて表されるレンジパラメータは、図７において示されるフィールドにおいて提供され得る。特定のインプリメンテーションにおいて、受信デバイスへのメッセージにおけるフィールド「測定開始時間」は、受信デバイスのタイミング同期機能（ＴＳＦ：Timing Synchronization Function）の最下位の（least significant）４つのオクテットを含み得る。１つの実施形態において、例えば、受信デバイスがアクセスポイントを備える場合、レンジパラメータを含むメッセージを送信するデバイスは、事前に受信されたビーコンまたはプローブ応答から受信デバイスのＴＳＦを決定し得る。ＮＡＮ／Ｐ２Ｐデバイス、等のような、他のタイプの受信デバイスに関して、送信および受信デバイスのＴＳＦは、既に同期されている可能性がある。「レンジ」フィールドは、受信デバイスと送信デバイス間で測定されたレンジを特定し得る。例えば、図２において示されるメッセージ交換を使用して測定されたレンジが決定される場合、「レンジ」フィールドは、例えば、１／４０９６ｍを単位にしてレンジを表し得る。代替的に、「レンジ」フィールドは、往復時間または飛行時間（time of flight）を表し得る。「測定開始時間」フィールドにおける受信デバイスのＴＳＦの４つの最下位（least four significant octets）オクテットは、「レンジ」フィールドにおける測定値またはパラメータがどのくらい古くなっているか（stale）または関連があり得るかを受信デバイスが決定することを可能にし得る。代替的に、例えば、ＴＳＦ機能が送信するデバイスにとって利用可能でない場合、フィールド「レンジ」におけるレンジパラメータのエイジ（age）を表す値は、（例えば、フィールド「レンジ」におけるパラメータがマイクロ秒を単位にして決定されてからの時間の持続時間）提供され得る。
【００５４】
[00060]図７における「最大レンジエラー指数」フィールドは、「レンジ」フィールドにおいて特定される値におけるエラーに関する上界の指数（an exponent of an upper bound）を表す１つのバイトを備え得る。フィールド「最大レンジエラー指数」におけるゼロの値は、未知のエラーを示し得る。フィールド「最大レンジエラー指数」における非ゼロ値は、例えば、２Ｍａｘ  Ｒａｎｇｅ  Ｅｒｒｏｒ  Ｅｘｐｏｎｅｎｔ-１３ｍという最大レンジエラーを示し得る。フィールド「最大レンジエラー指数」についての値は、例えば、２５という最大値を有し得る。フィールド「最大レンジエラー指数」に関するレンジ２６−２５５における値は、リザーブされ得る。２５という値は、４０９６ｍの、またはそれより高い最大レンジエラーを示し得る。例えば、フィールド「最大レンジエラー指数」における１４という値は、フィールド「レンジ」における値が、±２ｍの最大エラーを有することを示し得る。
【００５５】
[00061]上記で指摘されるように、図７において示されるフィールドを含むメッセージの特定の例は、メッセージを送信する第１のワイヤレストランシーバデバイスとメッセージを受信する第２のワイヤレストランシーバデバイスとの間のレンジを示すパラメータを提供することに適用可能であり得る。他の実施形態において、図７のフィールドは、第１の送信することと第２のワイヤレストランシーバデバイスではない第３のワイヤレストランシーバデバイスとの間のレンジを示す、第１のワイヤレストランシーバデバイスから第２のワイヤレストランシーバデバイスに送信されたメッセージにおいてパラメータを提供するために拡張され得る。例えば、第３のワイヤレストランシーバデバイスの識別子（例えば、ＢＳＳＩＤまたは他の識別子）を提供するフィールドは、図７において示されるフィールドに加えて、含まれ得る。
【００５６】
[00062]特定のインプリメンテーションに従って、いくつかのアプリケーションのうちのいずれか１つに関して、第１のワイヤレストランシーバデバイスは、（前もって第１および第２のワイヤレストランシーバデバイスのアソシエーションなしに）第２のワイヤレストランシーバデバイスに、図６および７において示されるレンジを示すフィールドを備えるメッセージを送信し得る。例えば、第１および第２のワイヤレストランシーバデバイスは、第１および第２のワイヤレストランシーバデバイス間のレンジの変化が、ゲーム状態に影響する（affects）モバイルゲームコンソールを備え得る。別のインプリメンテーションにおいて、そこで第１のワイヤレストランシーバデバイスは、子供（child）に取り付けられ（attached to）、そのようなメッセージは、ベビーシッター（babysitter）アプリケーションにおいて、第２のワイヤレストランシーバデバイスに送信され得る。別のインプリメンテーションにおいて、そこで第１のワイヤレストランシーバデバイスは、ビジネスの場所で従業員に取り付けられ、（例えば、第１および第２のデバイス間のレンジが特定のしきい値のレンジ値よりも大きいかまたは少ないかを決定することによって）従業員が割り当てられたタスクを行っているかどうかをモニタするためのアプリケーションにおいて第２のワイヤレストランシーバデバイスにそのようなメッセージが送信され得る。別の特定のインプリメンテーションにおいて、そのようなメッセージは、メッセージにおいて測定されたレンジが、第２のワイヤレストランシーバデバイスのロケーションを示す緊急応答アプリケーション（例えば、Ｅ９１１）において、第１と第２のワイヤレストランシーバデバイスとの間で送信され得る。
【００５７】
[00063]別の特定のインプリメンテーションにおいて、第１のワイヤレストランシーバデバイスは、第１の自動車においてインプリメントされ得、第２のワイヤレストランシーバデバイスは、第２のワイヤレストランシーバデバイスにおいてインプリメントされ得る。前もって第１のワイヤレストランシーバデバイスを第２のワイヤレストランシーバデバイスと関連付けるためのプロセスなく、第１のワイヤレストランシーバデバイスは、図６および７において示されるように、第１および第２のワイヤレストランシーバデバイス間のレンジを示す１つまたは複数のパラメータを備えるメッセージを、第２のワイヤレストランシーバデバイスに送信し得る。第２のワイヤレストランシーバデバイスは、衝突回避などのいくつかのアプリケーションのうちのいずれか１つに関するレンジを示す１つまたは複数のパラメータを使用し得る。別のインプリメンテーションにおいて、メッセージは、（例えば、第１および第２のワイヤレストランシーバデバイス間のレンジが増加しているかまたは減少しているレートを示す）レンジレートを備え得る。
【００５８】
[00064]図８および９において示される主題は、一実施形態における、例えば、コンピューティングデバイスの特徴を備え得る。一般に、コンピューティングデバイスという用語は、１つまたは複数のプロセッサ、および通信バスによって接続されるメモリを少なくとも指すことをさらに留意されたい。同様に、少なくとも本開示のコンテキストにおいて、米国特許法第１１２条（ｆ）項が、「コンピューティングデバイス」、「ワイヤレス局」、「ワイヤレストランシーバデバイス」および／または類似の用語の使用によって含意されないことが明確に意図されるように、米国特許法第１１２条（ｆ）項の意味内での十分な構造を指すことが理解されるが、しかしながら、直接には明らかでないいくつかの理由のため、前述の理解が有効であることができないこと、および米国特許法第１１２条（ｆ）項が、それ故、必ず、「コンピューティングデバイス」、「ワイヤレス局」、「ワイヤレストランシーバデバイス」という用語および／または類似の用語の使用によって含意されることが決定される場合、法定の項に従って、１つまたは複数の機能を行うための対応する構造、原料および／または行為が、後述の少なくとも図５Ａおよび５Ｂにおいて、および本開示の対応するテキストにおいて、理解されおよび解釈されることが意図される。
【００５９】
[00065]図８は、一実施形態によるモバイルデバイスの概略図である。モバイルデバイス１００（図１）は、図８に示されているモバイルデバイス１１００の１つまたは複数の特徴を備え得る。ある特定の実施形態において、モバイルデバイス１１００はまた、ワイヤレス通信ネットワーク上でワイヤレスアンテナ１１２２を介してワイヤレス信号１１２３を送信および受信する能力がある、ワイヤレストランシーバ１１２１を備え得る。ワイヤレストランシーバ１１２１は、ワイヤレストランシーババスインタフェース１１２０によってバス１１０１に接続され得る。ワイヤレストランシーババスインタフェース１１２０は、いくつかの実施形態において、ワイヤレストランシーバ１１２１と少なくとも部分的に一体化され得る。いくつかの実施形態は、数個の例を挙げると、例えば、ＩＥＥＥ規格８０２．１１のバージョン、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）、およびＢｌｕｅｔｏｏｔｈ（登録商標）のような、対応する複数のワイヤレス通信規格に従って信号を送信および／または受信することを可能にするために、複数のワイヤレストランシーバ１１２１およびワイヤレスアンテナ１１２２を含み得る。
【００６０】
[00066]モバイルデバイス１１００はまた、ＳＰＳアンテナ１１５８を介してＳＰＳ信号１１５９を受信および捕捉する能力があるＳＰＳ受信機１１５５を備え得る。ＳＰＳ受信機１１５５はまた、モバイルデバイス１０００のロケーションを推定するための捕捉されたＳＰＳ信号１１５９を、全体的または部分的に、処理し得る。いくつかの実施形態において、（１つまたは複数の）汎用プロセッサ１１１１、メモリ１１４０、（１つまたは複数の）ＤＳＰ１１１２、および／または特殊プロセッサ（図示せず）はまた、全体的または部分的に、捕捉されたＳＰＳ信号を処理し、および／またはＳＰＳ受信機１１５５と併せて、モバイルデバイス１１００の推定されたロケーションを計算するように利用され得る。測位動作を行う際に使用するためのＳＰＳまたは他の信号の記憶は、メモリ１１４０またはレジスタ（図示せず）において行われ得る。
【００６１】
[00067]図８にもまた示されているように、モバイルデバイス１１００は、バスインタフェース１１１０によってバス１１０１に接続された（１つまたは複数の）デジタルシグナルプロセッサ（ＤＳＰ）１１１２、バスインタフェース１１１０によってバス１１０１に接続された（１つまたは複数の）汎用プロセッサ１１１１、およびメモリ１１４０を備え得る。バスインタフェース１１１０は、（１つまたは複数の）ＤＳＰ１１１２、（１つまたは複数の）汎用プロセッサ１１１１、およびメモリ１１４０と一体化され得る。様々な実施形態において、複数の機能が、数個の例を挙げると、ＲＡＭ、ＲＯＭ、ＦＬＡＳＨ、またはディスクドライブのような、コンピュータ読取り可能記憶媒体上などのメモリ１１４０に記憶された１つまたは複数の機械読取り可能命令の応答実行において行われ得る。１つまたは複数の命令は、（１つまたは複数の）汎用プロセッサ１１１１、特殊プロセッサ、または（１つまたは複数の）ＤＳＰ１１１２によって実行可能であり得る。メモリ１１４０は、本明細書に説明されている機能を行うために、（１つまたは複数の）プロセッサ１１１１および／または（１つまたは複数の）ＤＳＰ１１１２によって実行可能であるソフトウェアコード（プログラミングコード、命令、等）を記憶する、非一時的なプロセッサ読取り可能メモリおよび／またはコンピュータ読取り可能メモリを備え得る。特定のインプリメンテーションにおいて、ワイヤレストランシーバ１１２１は、上記で述べられたように、モバイルデバイス１１００がワイヤレスＳＴＡとして構成されることを可能にするために、バス１１０１を通じて、（１つまたは複数の）汎用プロセッサ１１１１および／または（１つまたは複数の）ＤＳＰ１１１２と通信し得る。（１つまたは複数の）汎用プロセッサ１１１１および／または（１つまたは複数の）ＤＳＰ１１１２は、図２から図７に関連して上記で述べられたプロセスの１つまたは複数の態様を実行するための命令を実行し得る。
【００６２】
[00068]１つの特定のインプリメンテーションにおいて、ＦＴＭ測定要求メッセージに応答したＡＣＫメッセージの送信は、（１つまたは複数の）汎用プロセッサ１１１１または（１つまたは複数の）ＤＳＰ１１１２からの命令または開始なく、ワイヤレストランシーバデバイス１１２１によって行われ得る。もう一方で、ＦＴＭレンジレポートメッセージは、（１つまたは複数の）汎用プロセッサ１１１１および／または（１つまたは複数の）ＤＳＰ１１１２のような、プログラマブルデバイスにおいて（例えば、メモリ１１４０に記憶された１つまたは複数の機械読取り可能命令の実行から）形成され得る。
【００６３】
[00069]また、図８に示されているように、ユーザインタフェース１１３５は、数個の例を挙げると、例えば、スピーカ、マイクロフォン、ディスプレイデバイス、振動デバイス、キーボード、タッチスクリーンのような、いくつかのデバイスのうちの任意の１つを備え得る。特定のインプリメンテーションにおいて、ユーザインタフェース１１３５は、ユーザが、モバイルデバイス１１００上にホストされた１つまたは複数のアプリケーションと対話することを可能にし得る。例えば、ユーザインタフェース１１３５のデバイスは、ユーザからのアクションに応答して、（１つまたは複数の）ＤＳＰ１１１２または汎用／アプリケーションプロセッサ１１１１によってさらに処理されるようにアナログまたはデジタル信号をメモリ１１４０上に記憶し得る。同様に、モバイルデバイス１１００上にホストされたアプリケーションは、ユーザに出力信号を提示するためにアナログまたはデジタル信号をメモリ１１４０上に記憶し得る。別のインプリメンテーションにおいて、モバイルデバイス１１００は、例えば、専用スピーカ、マイクロフォン、デジタル・アナログ回路、アナログ・デジタル回路、増幅器、および／または利得制御を備える専用オーディオ入力／出力（Ｉ／Ｏ）デバイス１１７０を随意に含み得る。しかしながら、これは単に、オーディオＩ／Ｏがいかにしてモバイルデバイスにおいてインプリメントされ得るかの例に過ぎないこと、および特許請求される主題がこの点において限定されないことが理解されるべきである。別のインプリメンテーションにおいて、モバイルデバイス１１００は、キーボードまたはタッチスクリーンデバイス上のタッチまたは圧力に反応するタッチセンサ１１６２を備え得る。
【００６４】
[00070]モバイルデバイス１１００はまた、静止画または動画をキャプチャするための専用カメラデバイス１１６４を備え得る。専用カメラデバイス１１６４は、数個の例に挙げると、例えば、画像化センサ（例えば、電荷結合素子またはＣＭＯＳイメージャ）、レンズ、アナログ・デジタル回路、フレームバッファを備え得る。１つのインプリメンテーションにおいて、キャプチャされた画像を表す信号の追加の処理、調節、符号化、または圧縮は、汎用／アプリケーションプロセッサ１１１１または（１つまたは複数の）ＤＳＰ１１１２において行われ得る。代替的に、専用ビデオプロセッサ１１６８は、キャプチャされた画像を表す信号の調節、符号化、圧縮、または操作を行い得る。加えて、専用ビデオプロセッサ１１６８は、モバイルデバイス１１００上のディスプレイデバイス（図示せず）上への提示のために、記憶された画像データを復号／復元し（decompress）得る。
【００６５】
[00071]モバイルデバイス１１００はまた、例えば、慣性センサおよび環境センサを含み得る、バス１１０１に結合されたセンサ１１６０も備え得る。センサ１１６０の慣性センサは、例えば、（例えば、３次元におけるモバイルデバイス１１００の加速度に集合的に応答する）加速度計、１つまたは複数のジャイロスコープ、または（例えば、１つまたは複数のコンパスアプリケーションをサポートするための）１つまたは複数の磁力計を備え得る。モバイルデバイス１１００の環境センサは、数個の例を挙げると、例えば、温度センサ、気圧センサ、周辺光センサ、カメライメージャ、マイクロフォンを備え得る。センサ１１６０は、メモリ１１４０に記憶され得、かつ、例えば、測位またはナビゲーション動作に向けられたアプリケーションのような、１つまたは複数のアプリケーションをサポートする（in support of）汎用／アプリケーションプロセッサ１１１１または（１つまたは複数の）ＤＰＳによって処理され得る、アナログまたはデジタル信号を生成し得る。
【００６６】
[00072]特定のインプリメンテーションにおいて、モバイルデバイス１１００は、ワイヤレストランシーバ１１２１またはＳＰＳ受信機１１５５において受信およびダウンコンバートされる信号のベースバンド処理を行う能力がある専用モデムプロセッサ１１６６を備え得る。同様に、専用モデムプロセッサ１１６６は、ワイヤレストランシーバ１１２１による送信のためにアップコンバートされる信号のベースバンド処理を行い得る。代替のインプリメンテーションにおいて、専用モデムプロセッサを有する代わりに、ベースバンド処理は、汎用プロセッサまたはＤＳＰ（例えば、汎用／アプリケーションプロセッサ１１１１または（１つまたは複数の）ＤＳＰ１１１２）によって行われ得る。しかしながら、これらは、ベースバンド処理を行い得る構造の例に過ぎないこと、および特許請求される主題がこの点において限定されないことが理解されるべきである。
【００６７】
[00073]図９は、例えば、図１に関連して上述された技法またはプロセスをインプリメントするように構成可能な１つまたは複数のデバイスを含み得る例示的なシステム１８００を例示する概略図である。システム１８００は、例えば、第１のデバイス１８０２、第２のデバイス１８０４、および第３のデバイス１８０６を含み得、これらは、ワイヤレス通信ネットワークを通じて動作可能なように一緒に結合され得る。一態様において、第１のデバイス１８０２は、例えば、示されるようなアクセスポイントを備え得る。一態様において、第２のデバイス１８０４は、アクセスポイント（例えば、ローカルトランシーバ１１５または基地局トランシーバ１１０）を備え得、第３のデバイス１８０６は、モバイル局またはモバイルデバイスを備え得る。また、一態様において、デバイス１８０２、１８０４および１８０２は、例えば、１つまたは複数のワイヤレスアクセスポイントを備え得るワイヤレス通信ネットワークに含まれ得る。しかしながら、特許請求される主題は、これらの点において範囲が限定されない。
【００６８】
[00074]図９で示されるように、第１のデバイス１８０２、第２のデバイス１８０４、および第３のデバイス１８０６は、ワイヤレス通信ネットワークを介してデータを交換するように構成可能であり得る任意のデバイス、器具、または機械を代表し得る。限定ではなく例として、第１のデバイス１８０２、第２のデバイス１８０４、または第３のデバイス１８０６のいずれも、例えば、デスクトップコンピュータ、ラップトップコンピュータ、ワークステーション、サーバデバイス、または同様のもののような、１つまたは複数のコンピューティングデバイスあるいはプラットフォーム、例えば、携帯情報端末、モバイル通信デバイス、または同様のもののような、１つまたは複数のパーソナルコンピューティングまたは通信デバイスまたは器具、例えば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムのような、コンピューティングシステムまたは関連付けられたサービスプロバイダ能力、またはそれらの任意の組合せを含み得る。第１、第２、および第３のデバイス１８０２、１８０４、および１８０６のいずれも、それぞれ、本明細書に説明されている例に従った、アクセスポイントまたはモバイルデバイスのうちの１つまたは複数を備え得る。
【００６９】
[00075]同様に、図９に示されるように、ワイヤレス通信ネットワークは、第１のデバイス１８０２、第２のデバイス１８０４、および第３のデバイス１８０６のうちの少なくとも２つの間でのデータの交換をサポートするように構成可能な１つまたは複数の通信リンク、プロセス、またはリソースを代表する。限定ではなく例として、ワイヤレス通信ネットワークは、ワイヤレスまたはワイヤード通信リンク、電話または電気通信システム、データバスまたはチャネル、光ファイバー、地上または宇宙のビークルのリソース、ローカルエリアネットワーク、ワイドエリアネットワーク、イントラネット、インターネット、ルータまたはスイッチ、および同様のもの、あるいはこれらの任意の組合せを含み得る。例えば、第３のデバイス１８０６の部分的に覆われているものとして例示された破線のボックスによって例示されているように、ワイヤレス通信ネットワーク１８０８に動作可能であるように結合される追加の同様のデバイスがあり得る。
【００７０】
[00076]図９に示される様々なデバイスおよびネットワークの全てまたは部分、および本明細書にさらに説明されているプロセスおよび方法は、ハードウェア、ファームウェア、ソフトウェア、またはこれらの任意の組合せを使用して、あるいはそうでなければこれらを含んで、インプリメントされ得ることが認識される。
【００７１】
[00077]このことから、限定ではなく例として、第２のデバイス１８０４は、バス１８２８を通じてメモリ１８２２に動作可能なように結合された少なくとも１つの処理ユニット１８２０を含み得る。
【００７２】
[00078]処理ユニット１８２０は、データ算出プロシージャまたはプロセスの少なくとも一部分を行うように構成可能な１つまたは複数の回路を代表する。限定ではなく例として、処理ユニット１８２０は、１つまたは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、および同様のもの、あるいはそれらの任意の組合せを含み得る。
【００７３】
[00079]メモリ１８２２は、任意のデータ記憶メカニズムを代表する。メモリ１８２２は、例えば、プライマリメモリ１８２４またはセカンダリメモリ１８２６を含み得る。プライマリメモリ１８２４は、例えば、ランダムアクセスメモリ、読取専用メモリ、等を含み得る。この例において、処理ユニット１８２０とは別個のものとして例示されているが、プライマリメモリ１８２４の全てまたは一部は、処理ユニット１８２０内で提供され得るか、またはそうなければ、それと併設（co-located）／結合され得ることが理解されるべきである。特定のインプリメンテーションにおいて、メモリ１８２２および処理ユニット１８２０は、図２から７に関連して上記で述べられるプロセスの１つまたは複数の態様を実行するために構成され得る。
【００７４】
[00080]セカンダリメモリ１８２６は、例えば、プライマリメモリと同じまたは同様のタイプのメモリ、または、例えば、ディスクドライブ、光ディスクドライブ、テープドライブ、ソリッドステートメモリドライブ（solid state memory drive）、等の１つまた複数のデータ記憶デバイスまたはシステムを含み得る。ある特定のインプリメンテーションにおいて、セカンダリメモリ１８２６は、コンピュータ読取り可能媒体１８４０に動作可能なように受容的であり得るか、またはそうでなければ、それに結合するように構成可能であり得る。コンピュータ読取り可能媒体１８４０は、例えば、システム１８００におけるデバイスのうちの１つまたは複数のための、アクセス可能なデータ、コード、または命令を搬送または製造することができる任意の非一時的な媒体を含み得る。コンピュータ読取り可能媒体１８４０はまた、記憶媒体とも呼ばれ得る。
【００７５】
[00081]第２のデバイス１８０４は、例えば、少なくともアンテナ１８０８を通じた、ワイヤレス通信ネットワークへの第２のデバイス１８０４の動作的結合（operative coupling）を提供するか、またはそうでなければサポートする通信インタフェース１８３０を含み得る。限定ではなく例として、通信インタフェース１８３０は、ネットワークインタフェースデバイスまたはカード、モデム、ルータ、スイッチ、トランシーバ、および同様のものを含み得る。他の代替的なインプリメンテーションにおいて、通信インタフェース１８３０は、ワイヤード／ＬＡＮインタフェース、ワイヤレスＬＡＮインタフェース（例えば、ＩＥＥＥ規格８０２．１１ワイヤレスインタフェース）および／またはワイドエリアネットワーク（ＷＡＮ）エアインタフェースを備え得る。特定のインプリメンテーションにおいて、通信インタフェース１８３０と組み合わされたアンテナ１８０８は、図２から７において例示されるような信号の送信および受信をインプリメントするために使用され得る。
【００７６】
[00082]１つの特定のインプリメンテーションにおいて、ＦＴＭ測定要求メッセージに応答したＡＣＫメッセージの送信は、処理ユニット１８３０からの命令または開始なく、通信インタフェース１８３０において行われ得る。もう一方で、ＦＴＭレンジレポートメッセージは、（例えば、メモリ１８２０に記憶された１つまたは複数の機械読取り可能命令の実行から）処理ユニット１８２０のようなプログラマブルデバイスにおいて形成され得る。
【００７７】
[00083]第２のデバイス１８０４は、例えば、入力／出力デバイス１８３２を含み得る。入力／出力デバイス１８３２は、人間または機械の入力を許可するか、またはそうでなければ導入するように構成可能であり得る１つまたは複数のデバイスまたは特徴、もしくは、人間または機械の出力を配信するか、またはそうでなければ提供するように構成可能であり得る１つまたは複数のデバイスまたは特徴を代表する。限定ではなく例として、入力／出力デバイス１８３２は、動作的に構成されたディスプレイ、スピーカ、キーボード、マウス、トラックボール、タッチスクリーン、データポート、等を含み得る。
【００７８】
[00084]上記で説明される、１つの実施形態は、第１のワイヤレストランシーバデバイスと第２のワイヤレストランシーバデバイス以外の第３のワイヤレストランシーバデバイスとの間のレンジを示す１つまたは複数のパラメータを備える１つまたは複数のメッセージを、第１のワイヤレストランシーバデバイスから第２のワイヤレストランシーバデバイスに送信すること、ここにおいて、１つまたは複数のパラメータは、第１のワイヤレストランシーバデバイスにおいて受信された１つまたは複数のファインタイミング測定（ＦＴＭ）メッセージの受信に少なくとも部分的に基づいて、決定され、第１および第２のワイヤレストランシーバデバイスは、関連付けられていない、とを備える、第１のワイヤレストランシーバデバイスにおける方法を対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。
【００７９】
[00085]上記で説明される、別の実施形態は、ワイヤレストランシーバと、第１のワイヤレス局（ＳＴＡ）と第２のＳＴＡ以外の第３のＳＴＡとの間のレンジを示す１つまたは複数のパラメータを備えるメッセージの、第１のＳＴＡから第２のＳＴＡへの送信を開始すること、ここにおいて、１つまたは複数のパラメータは、第１のワイヤレストランシーバデバイスにおいて受信された１つまたは複数のファインタイミング測定（ＦＴＭ）メッセージの受信に少なくとも部分的に基づいて、決定され、第１および第２のワイヤレストランシーバデバイスは、関連付けられていない、を行うためにワイヤレストランシーバに結合されたプロセッサとを備える、第１のＳＴＡを対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。
【００８０】
[00086]上記で説明される、別の実施形態は、第１のワイヤレストランシーバデバイスにおいて受信された１つまたは複数のファインタイミング測定（ＦＴＭ）メッセージの受信に少なくとも部分的に基づいて、第１のワイヤレストランシーバデバイスと第２のワイヤレストランシーバデバイスとの間のレンジを示す１つまたは複数のパラメータを決定するための手段と、１つまたは複数のパラメータを備える１つまたは複数のメッセージを、第１のワイヤレストランシーバデバイスから第２のワイヤレストランシーバデバイス以外の第３のワイヤレストランシーバデバイスに送信するための手段、ここにおいて、第１および第３のワイヤレストランシーバデバイスは、関連付けられていない、とを備える、第１のワイヤレストランシーバデバイスを対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。
【００８１】
[00087]上記で説明される、別の実施形態は、記憶されたコンピュータ読取り可能命令を備える非一時的記憶媒体を対象とし、その命令は、第１のワイヤレストランシーバデバイスと第２のワイヤレストランシーバデバイス以外の第３のワイヤレストランシーバデバイスとの間のレンジを示す１つまたは複数のパラメータを備える１つまたは複数のメッセージの、第１のワイヤレストランシーバデバイスからの送信を開始すること、ここにおいて、１つまたは複数のパラメータは、第１のワイヤレストランシーバデバイスにおいて受信された１つまたは複数のファインタイミング測定（ＦＴＭ）メッセージの受信に少なくとも部分的に基づいて、決定され、第１および第２のワイヤレストランシーバデバイスは、関連付けられていない、を行うために、第１のワイヤレストランシーバデバイスのプロセッサによって実行可能である。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。
【００８２】
[00088]上記で説明される、別の実施形態は、第２のワイヤレストランシーバデバイスと第１のワイヤレストランシーバデバイス以外の第３のワイヤレストランシーバデバイスとの間のレンジを示す１つまたは複数のパラメータを備える１つまたは複数のメッセージを、第２のワイヤレストランシーバデバイスから受信すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を備える、第１のワイヤレストランシーバデバイスにおける、方法を対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。別の特定のインプリメンテーションにおいて、方法は、少なくとも１つのアプリケーションにおける使用のための受信された１つまたは複数のメッセージにおける１つまたは複数のパラメータを処理することをさらに備え、ここにおいて、第１および第２のワイヤレストランシーバデバイスは、関連付けられていない。
【００８３】
[00089]上記で説明される、別の実施形態は、ワイヤレストランシーバと、第２のワイヤレス局（ＳＴＡ）と第１のＳＴＡ以外の第３のＳＴＡとの間のレンジを示す１つまたは複数のパラメータを備える、第２のＳＴＡからワイヤレストランシーバにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、とを行うためにワイヤレストランシーバに結合されたプロセッサとを備える、第１のＳＴＡを対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。別の特定のインプリメンテーションにおいて、プロセッサは、少なくとも１つのアプリケーションにおける使用のための受信された１つまたは複数のメッセージにおける１つまたは複数のパラメータを処理するようにさらに構成され得る。
【００８４】
[00090]上記で説明される、別の実施形態は、記憶されたコンピュータ読取り可能命令を備える非一時的記憶媒体を対象とし、その命令は、第２のワイヤレストランシーバデバイスと第１のワイヤレストランシーバデバイス以外の第３のワイヤレストランシーバデバイスとの間のレンジを示す１つまたは複数のパラメータを備える、第２のワイヤレストランシーバデバイスから第１のワイヤレストランシーバデバイスにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うために、第１のワイヤレストランシーバデバイスのプロセッサによって実行可能である。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。別の特定のインプリメンテーションにおいて、コンピュータ読取り可能な命令は、少なくとも１つのアプリケーションにおける使用のための受信された１つまたは複数のメッセージにおける１つまたは複数のパラメータを処理することに対してさらに実行可能であり得、ここにおいて、第１および第２のワイヤレストランシーバデバイスは、関連付けられていない。
【００８５】
[00091]上記で説明される、別の実施形態は、第１のワイヤレストランシーバデバイスと第２のワイヤレストランシーバデバイスとの間のレンジを示す１つまたは複数のパラメータを備える１つまたは複数のメッセージを、第２のワイヤレストランシーバデバイスから受信すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を備える、第１のワイヤレストランシーバデバイスにおける方法を対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。別の特定のインプリメンテーションにおいて、方法は、少なくとも１つのアプリケーションにおける使用のための１つまたは複数の受信されたメッセージにおける１つまたは複数のパラメータを処理することをさらに備える。
【００８６】
[00092]上記で説明される、別の実施形態は、ワイヤレストランシーバと、第１のワイヤレス局（ＳＴＡ）と第２のＳＴＡとの間のレンジを示す１つまたは複数のパラメータを備える、第２のＳＴＡからワイヤレストランシーバにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うように構成されたワイヤレストランシーバに結合されたプロセッサとを備える、第１のＳＴＡを対象とする。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。別の特定のインプリメンテーションにおいて、プロセッサは、少なくとも１つのアプリケーションにおける使用のための第２のワイヤレストランシーバデバイスから受信された１つまたは複数のメッセージにおける１つまたは複数のパラメータを処理するようにさらに構成され得る。
【００８７】
[00093]上記で説明される、別の実施形態は、記憶されたコンピュータ読取り可能命令を備える非一時的記憶媒体を対象とし、その命令は、第１のワイヤレストランシーバデバイスと第２のワイヤレストランシーバデバイスとの間のレンジを示す１つまたは複数のパラメータを備える、第２のワイヤレストランシーバデバイスから第１のワイヤレストランシーバデバイスにおいて受信された、１つまたは複数のメッセージを取得すること、ここにおいて、１つまたは複数のパラメータは、第２のワイヤレストランシーバデバイスにおける１つまたは複数のファインタイミング測定（ＦＴＭ）メッセージの受信に少なくとも部分的に基づいて、決定され、第１および第２のワイヤレストランシーバデバイスは、関連付けられていない、を行うために、第１のワイヤレストランシーバデバイスのプロセッサによって実行可能である。１つの特定のインプリメンテーションにおいて、１つまたは複数のメッセージのうちの少なくとも１つは、情報要素の送信をサポートするフォーマットにおいて送信される。別の特定のインプリメンテーションにおいて、１つまたは複数のメッセージは、ビーコンメッセージ、プローブ要求メッセージ、プローブ応答メッセージ、アソシエーション要求メッセージ、またはアソシエーション応答メッセージを備える。別の特定のインプリメンテーションにおいて、１つまたは複数のメッセージは、ワイヤレスローカルエリアネットワーク（ＷＬＡＮ）管理フレームを備える。別の特定のインプリメンテーションにおいて、１つまたは複数のメッセージは、第２のワイヤレストランシーバデバイスのＴＳＦに対するレンジ測定値が取得された時間のインジケーションをさらに備える。別の特定のインプリメンテーションにおいて、１つまたは複数のメッセージは、取得されたレンジ測定値のエイジのインジケーションをさらに備える。別の特定のインプリメンテーションにおいて、コンピュータ読取り可能媒体は、少なくとも１つのアプリケーションにおける使用のための１つまたは複数の受信されたメッセージにおける１つまたは複数のパラメータを処理することに対してさらに実行可能である。
【００８８】
[00094]ここで使用される場合、「アクセスポイント」という用語は、特許請求される主題の範囲は、この点に限定されないが、例えば、ワイヤレスローカルエリアネットワークなどの、ワイヤレス通信システムにおける通信を容易にするために使用される任意のワイヤレス通信局および／またはデバイスを含むことを意味する。別の態様において、アクセスポイントは、例えば、ワイヤレスローカルエリアネットワーク（ＷＬＡＮ）アクセスポイントを備え得る。特許請求される主題の範囲は、この点に限定されないが、そのようなＷＬＡＮは、一態様におけるＩＥＥＥ規格８０２．１１の１つまたは複数のバージョンと互換性のあるおよび／またはそれに準拠したネットワークを備え得る。ＷＬＡＮアクセスポイントは、例えば、インターネットのような、１つまたは複数のモバイルデバイスとネットワークとの間に通信を提供し得る。
【００８９】
[00095]ここで使用される場合、「モバイルデバイス」という用語は、変化する位置ロケーションを、時折、有し得るデバイスを指す。位置ロケーションの変化は、数例として、方向、距離（distance）、オリエンテーション、等に対する変更を備え得る。特定の例では、モバイルデバイスが、セルラ電話、ワイヤレス通信デバイス、ユーザ機器、ラップトップコンピュータ、他のパーソナル通信システム（ＰＣＳ）デバイス、パーソナルデジタルアシスタント（ＰＤＡ）、パーソナルオーディオデバイス（ＰＡＤ）、携帯用ナビゲーションデバイス、および／または他の携帯用通信デバイスを備え得る。モバイルデバイスはまた、機械読取り可能命令によって制御される機能を行うように適合されたコンピューティングプラットフォームおよび／またはプロセッサを備え得る。
【００９０】
[00096]本明細書に説明された方法論は、特定の例によるアプリケーションに依存して様々な手段によってインプリメントされ得る。例えば、このような方法論は、ハードウェア、ファームウェア、ソフトウェア、またはこれらの組合せにおいてインプリメントされ得る。例えば、ハードウェアのインプリメンテーションにおいて、処理ユニットは、１つまたは複数の特定用途向け集積回路（「ＡＳＩＣ」）、デジタルシグナルプロセッサ（「ＤＳＰ」）、デジタルシグナル処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書に説明された機能を行うように設計された他のデバイスユニット、またはこれらの組合せ内でインプリメントされ得る。
【００９１】
[00097]アルゴリズム的記述および／または記号表現（symbolic representations）は、信号処理および／または関連技術分野における当業者によって、彼らの仕事の内容（substance）を他の当業者に伝えるために使用される技法の例である。アルゴリズムは、ここで、また一般に、所望の結果に至る、首尾一貫した一連の動作および／または同様の信号処理であると考えられる。このコンテキストにおいて、動作及び／または処理は、物理量の物理的操作を伴う（involve）。典型的に、必ずしも必要ではないが、そのような量は、電気信号および／または磁気信号の形態、ならびに／あるいは、電子信号として、記憶される、転送される、組み合わされる、比較される、処理される、またはさもなければ操作される能力がある状態、ならびに／あるいは信号測定、テキスト、画像、ビデオ、音声、等のような、コンテンツの様々な形態を表す状態をとり得る。主に一般的な用法という理由で、そのような物理的信号および／または物理的状態を、ビット、バイト、値、要素、シンボル、文字、用語（terms）、数、数字、式、メッセージ、フィールド、識別子フレーム、測定値、コンテンツ、および／または同様のものと呼ぶことが、時として便利であることが証明されている。しかしながら、これらの全ておよび／または同様の用語は、適切な物理量と関連付けられるものであり、単なる便利なラベルに過ぎないことが理解されるべきである。別段に明記されていない限り、先立つ議論から明らかなように、本明細書全体にわたって、「処理すること」、「算出すること」、「計算すること」、「決定すること」、「確立すること」、「取得すること」、「識別すること」、「選択すること」、「生成すること」、および／または同様のもの、などの用語を利用する議論は、専用コンピュータならびに／あるいは同様の専用コンピューティングおよび／またはネットワークデバイスなどの、特定の装置のアクションおよび／またはプロセスを指すことがあることが認識される。それ故、本明細書のコンテキストにおいて、専用コンピュータならびに／あるいは同様の専用コンピューティングおよび／またはネットワークデバイスは、専用コンピュータならびに／あるいは同様の専用コンピューティングおよび／またはネットワークデバイスのメモリ、レジスタ、および／または他のストレージデバイス、送信デバイス、および／またはディスプレイデバイス内の、電子的および／または磁気的な物理量として典型的に表される信号および／または状態を処理、操作、および／または変換する能力がある。この特定の特許出願のコンテキストにおいて、言及されたように、「特定の装置」という用語は、プログラムソフトウェアからの命令に準じて特定の機能を行うようにプログラムされた時点で、汎用コンピュータのような、汎用コンピューティングおよび／またはネットワークデバイスを含み得る。
【００９２】
[00098]いくつかの状況において、バイナリ１からバイナリ０への、またはその逆の、状態の変化などの、メモリデバイスの動作は、例えば、物理的変換などの変換を備え得る。メモリデバイスの特定のタイプを用いて、そのような物理的変換は、異なる状態またはものへの品目（article）の物理的変換を備え得る。例えば、しかし限定なしに、いくつかのタイプのメモリデバイスに関して、状態の変化は、チャージの蓄積および／または記憶、あるいは記憶されたチャージの解放（release）を伴い得る。同様に、他のメモリデバイスにおいて、状態の変化は、磁気オリエンテーションの変換、ならびに／あるいは、結晶状からアモルファスへの、またはその逆などの、分子構造の物理的変化および／または変換などの、物理的変化を備え得る。さらに他のメモリデバイスにおいて、物理的状態の変化は、例えば、量子ビット（キュービット）を伴い得る、重ね合わせ（superposition）、絡み合い（entanglement）、および／または同様のものなど、量子力学的現象を伴い得る。前述は、メモリデバイスにおけるバイナリ１からバイナリ０への、またはその逆の、状態の変化が、物理的変換などの変換を備え得る全ての例の網羅的なリストであることを意図されない。むしろ、前述は例示的な例として意図される。
【００９３】
[00099]本明細書で説明されているワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）、等のような、様々なワイヤレス通信ネットワークと接続している（in connection with）可能性がある。このコンテキストにおいて、「ワイヤレス通信ネットワーク」は、１つまたは複数のワイヤレス通信リンクを通じて互いに通信する能力がある複数のデバイスまたはノードを備える。図１に示されるように、例えば、ワイヤレス通信ネットワークは、モバイルデバイス１００ａ、１００ｂ、１１５ａおよび１１５ｂからの２つ以上のデバイスを備え得る。「ネットワーク」および「システム」という用語は、本明細書において交換可能に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記ネットワークの任意の組合せ、等であり得る。ＣＤＭＡネットワークは、ごくわずかの無線技術を挙げると、ｃｄｍａ２０００、広帯域ＣＤＭＡ（「Ｗ−ＣＤＭＡ（登録商標）」）のような、１つまたは複数の無線アクセス技術（「ＲＡＴ」）をインプリメントし得る。ここで、ｃｄｍａ２０００は、ＩＳ−９５、ＩＳ−２０００、およびＩＳ−８５６規格によってインプリメントされる技術を含み得る。ＴＤＭＡネットワークは、モバイル通信のためのグローバルシステム（「ＧＳＭ」）、デジタルアドバンスドモバイルフォンシステム（「Ｄ−ＡＭＰＳ」）、または他の何らかのＲＡＴをインプリメントし得る。ＧＳＭおよびＷ−ＣＤＭＡは、「第３世代パートナーシッププロジェクト（「３ＧＰＰ（登録商標）」）という名称のコンソーシアムからの文書で説明されている。Ｃｄｍａ２０００は、「第３世代パートナーシッププロジェクト２（「３ＧＰＰ２」）」という名称のコンソーシアムからの文書で説明されている。３ＧＰＰおよび３ＧＰＰ２の文書は、公的に入手可能である。４Ｇロングタームエボリューション（「ＬＴＥ」）通信ネットワークはまた、一態様において、特許請求される主題に従ってインプリメントされ得る。ＷＬＡＮは、ＩＥＥＥ８０２．１１ｘネットワークを備え得、ＷＰＡＮは、例えば、Ｂｌｕｅｔｏｏｔｈネットワーク、ＩＥＥＥ８０２．１５ｘを備え得る。本明細書に説明されるワイヤレス通信インプリメンテーションはまた、ＷＷＡＮ、ＷＬＡＮ、またはＷＰＡＮの任意の組合せと関連して使用され得る。
【００９４】
[000100]別の態様において、先に記載されたように、ワイヤレス送信機またはアクセスポイントは、フェムトセルを備え得、セルラ電話サービスをビジネスまたは自宅に拡張するために利用され得る。このようなインプリメンテーションにおいて、１つまたは複数のモバイルデバイスは、例えば、符号分割多元接続（ＣＤＭＡ）セルラ通信プロトコルを介してフェムトセルと通信し得、フェムトセルは、インターネットといった別のブロードバンドネットワークを経由して、より大きいセルラ電気通信ネットワークへのモバイルデバイスアクセスを提供し得る。
【００９５】
[000101]本明細書で説明されている技法は、いくつかのＧＮＳＳのうちのいずれか１つおよび／またはＧＮＳＳの組合せを含むＳＰＳと使用され得る。さらに、そのような技法は、「スードライト（pseudolites）」として働く地上送信機、またはＳＶとそのような地上送信機との組合せを利用する測位システムを用いて使用され得る。地上送信機は、例えば、ＰＮコードまたは（例えば、ＧＰＳまたはＣＤＭＡセルラ信号と同様の）他の測距コードをブロードキャストする地上型送信機（ground-based transmitters）を含み得る。そのような送信機は、遠隔受信機による識別を可能にする（permit）ように一意的なＰＮコードが割り当てられ得る。地上送信機は、例えば、トンネル、鉱山、建物、都市キャニオン、または他の囲まれたエリアにおけるような、軌道周回ＳＶ（an orbiting SV）からのＳＰＳ信号が利用不可能である可能性がある状況でＳＰＳを増強させる（augment）のに有用であり得る。スードライトの別のインプリメンテーションは無線ビーコンとして知られている。「ＳＶ」という用語は、本明細書で使用される場合、スードライト、スードライトの同等物、および場合によると他のものとして働く地上送信機を含むように意図されている。「ＳＰＳ信号」および／または「ＳＶ信号」という用語は、本明細書で使用される場合、スードライトまたはスードライトの同等物として働く地上送信機を含む、地上送信機からのＳＰＳのような信号を含むように意図される。
【００９６】
[000102]同様に、このコンテキストにおいて、「結合された」、「接続された」、および／または同様の用語は、総称的に（generically）使用される。これらの用語は、同義語として意図されていないことが理解されるべきである。むしろ、「接続された」は、総称的に、２つ以上の構成要素が、例えば、電気的に接触していることを含む、直接物理的に接触していることを示すために使用され、一方で、「結合された」は、総称的に、２つ以上の構成要素が潜在的に、電気的に接触していることを含む、直接物理的に接触していることを意味するために使用されるが、「結合された」はまた、総称的に、２つ以上の構成要素が必ずしも直接接触しているとは限らないが、とはいえ、協働および／または相互に作用することが可能であることを意味するようにも使用される。結合されたという用語はまた、総称的に、例えば、適切なコンテキストにおいて、間接的に接続されていることを意味するものとして理解される。
【００９７】
[000103]本明細書で使用される場合、「および」、「または」、「および／または」という用語、および／または同様の用語は、そのような用語が使用される特定のコンテキストに少なくとも部分的に依存することもまた期待される様々な意味を含む。典型的に、「または」は、Ａ、Ｂ、またはＣなどの、列挙を関連付けるために使用される場合、包含的な意味で使用される場合は、Ａ、Ｂ、およびＣを意味し、ならびに、排他的な意味で使用される場合は、Ａ、Ｂ、またはＣを意味するように意図される。加えて、「１つまたは複数の」という用語および／または同様の用語は、単数形の任意の特徴、構造、および／または特性について説明するために使用され、ならびに／あるいは特徴、構造または特性の、複数のおよび／または何らかの他の組合せについて説明するために使用される。同様に、「に基づいて」という用語および／または同様の用語は、要因（factors）の排他的セットを伝えることを必ずしも意図するものとは限らず、必ずしも明確に説明されるとは限らない追加の要因の存在を考慮に入れることを意図するものとして理解される。当然ながら、前述の全てに関して、説明および／または用法の特定のコンテキストは、引用される推論に関して役に立つガイダンスを提供する。以下の説明は、単に１つまたは複数の例示的な例を提供するに過ぎないこと、および特許請求される主題はこれらの１つまたは複数の例に限定されないことに留意されるべきであるが、しかしながら、この場合も同様に、説明および／または用法の特定のコンテキストは、引用される推論に関して役に立つガイダンスを提供する。
【００９８】
[000104]このコンテキストにおいて、ネットワークデバイスという用語は、ネットワークの部分としておよび／またはネットワークを介して通信する能力がある任意のデバイスを指し、コンピューティングデバイスを備え得る。ネットワークデバイスが、ワイヤードおよび／またはワイヤレスネットワークを介してなど、信号（たとえば、信号パケットおよび／またはフレーム）を送ることおよび／または受信する能力があり得る一方で、それらはまた、物理的メモリ状態としてのメモリにおいてなどで、算術および／または論理演算を行うこと、信号を処理および／または記憶することを行う能力があり得、ならびに／あるいは、例えば、様々な実施形態では、サーバとして動作し得る。サーバとして、またはそうでないものとして動作する能力があるネットワークデバイスは、例として、専用ラックマウント式サーバ、デスクトップコンピュータ、ラップトップコンピュータ、セットトップボックス、タブレット、ネットブック、スマートフォン、ウェアラブルデバイス、前述のデバイスの２つ以上の特徴を組み合わせた集積デバイスなど、またはそれらの任意の組合せを含み得る。信号パケットおよび／またはフレームは、例えば、ワイヤレスネットワークを介して結合されたワイヤレスデバイス間を含む、サーバとクライアントデバイスとの間、および／または他のタイプのネットワークデバイス間などで交換され得る。サーバ、サーバデバイス、サーバコンピューティングデバイス、サーバコンピューティングプラットフォームという用語および／または同様の用語は互換的に使用されることに留意されたい。同様に、クライアント、クライアントデバイス、クライアントコンピューティングデバイス、クライアントコンピューティングプラットフォームという用語および／または同様の用語もまた互換的に使用される。いくつかの実例では、説明しやすいように、これらの用語は、「クライアントデバイス」または「サーバデバイス」に言及することによってなど、単数形で使用され得るが、説明は、適宜に、１つまたは複数のクライアントデバイスおよび／または１つまたは複数のサーバデバイスを包含することが意図される。同様の方針に沿って、「データベース」への言及は、適宜に、１つまたは複数のデータベースおよび／またはそれの部分を意味すると理解される。
【００９９】
[000105]説明しやすいように、（ネットワーキングデバイスとも呼ばれる）ネットワークデバイスは、コンピューティングデバイスに関して実施および／または説明され得ることを理解されるべきである。しかしながら、この説明は、特許請求される主題が、コンピューティングデバイスおよび／またはネットワークデバイスなどの、１つの実施形態に限定されることと決して解釈されるべきではなく、代わりに、例えば、１つまたは複数の例示的な例を含む、様々なデバイスまたはそれらの組合せとして実施され得ることがさらに理解されるべきである。１つのインプリメンテーション、一インプリメンテーション、１つの実施形態、一実施形態、および／または同様のものに対するこの明細書全体を通じた言及は、特定のインプリメンテーションおよび／または実施形態に関連して説明される特定の特徴、構造、および／または特性が特許請求される主題の少なくとも１つのインプリメンテーションおよび／または実施形態において含まれることを意味する。このことから、例えば、この明細書全体を通じた様々な場所におけるそのようなフレーズの出現が、同じインプリメンテーション、または説明された任意の１つの特定のインプリメンテーションを指すことは必ずしも意図されていない。さらに、説明される特定の特徴、構造、および／または特性は、例えば、１つまたは複数のインプリメンテーションにおいて様々な方法で組み合わされることができ、それ故、意図された特許請求の範囲内にあることが理解されるべきである。一般に、当然ながら、これらおよび他の問題は、コンテキストによって異なる。それ故、説明および／または用法の特定のコンテキストは、引用される推論に関して役に立つガイダンスを提供する。例となる特徴と現在考えられているものが例示および説明されてきた一方で、特許請求される主題から逸脱することなく、様々な他の修正が行なわれ得、同等物が代用され得ることは、当業者によって理解されるであろう。さらに、本明細書で説明された中心概念から逸脱することなく、特許請求される主題事項の教示に特定の状況を適合させるために、多くの修正が行なわれ得る。それ故、特許請求される主題は、開示された特定の例に限定されないこと、しかし、このような特許請求される主題はまた、添付の特許請求の範囲の範囲内に入る全ての態様とその均等物とを含み得ることが意図される。
【図１】
2019506081.tif 000003
【図２】
2019506081.tif 000004
【図３】
2019506081.tif 000005
【図４】
2019506081.tif 000006
【図５Ａ】
2019506081.tif 000007
【図５Ｂ】
2019506081.tif 000008
【図６】
2019506081.tif 000009
【図７】
2019506081.tif 000010
【図８】
2019506081.tif 000011
【図９】
2019506081.tif 000012
【国際調査報告】
2019506081.tif 000013
2019506081.tif 000014
2019506081.tif 000015